(57)【特許請求の範囲】
【請求項１】
複数の送信ポイントからの複数の参照信号を用いて、前記複数の参照信号のそれぞれに対する第１の受信品質を測定する第１の測定手段と、
前記複数の参照信号のうち、少なくとも一つの特定の参照信号に関する第１の情報を受信する受信手段と、
前記第１の情報に基づいて、前記特定の参照信号を用いて、第２の受信品質を測定する第２の測定手段と、
所定の条件を満たす前記第１の受信品質、及び、前記第２の受信品質を報告する送信手段と、
を具備する端末。
【請求項２】
前記送信手段は、前記複数の参照信号のうち、所定の条件を満たす前記第１の受信品質に対応する、少なくとも一つの前記参照信号に関する第２の情報を、送信する、
請求項１に記載の端末。
【請求項３】
前記受信手段は、前記第２の情報を用いて決定された前記特定の参照信号に関する前記第１の情報を受信する、
請求項２記載の端末。
【請求項４】
前記受信手段は、前記複数の参照信号を示す候補リストを受信し、
前記第１の測定手段は、前記候補リストに示される前記複数の参照信号を用いて、前記複数の参照信号のそれぞれに対する前記第１の受信品質を測定し、
前記第１の情報は、前記特定の参照信号を示す測定リストであり、前記第２の測定手段は、前記測定リストによって示される前記特定の参照信号を用いて、前記第２の受信品質を測定する、
請求項１に記載の端末。
【請求項５】
前記第２の情報には、前記所定の条件を満たす前記第１の受信品質に対応する前記参照信号を示す識別子、または、前記所定の条件を満たす前記第１の受信品質の測定結果が含まれる、
請求項２記載の端末。
【請求項６】
前記送信手段は、前記第１の受信品質の報告要求を受信した場合に、前記第２の情報を報告する、
請求項２記載の端末。
【請求項７】
前記候補リストは、前記複数の参照信号の設定情報を示す、
請求項４記載の端末。
【請求項８】
前記第１の測定手段は、所定の周期のタイミングで設定されるリソース群で前記第１の受信品質を測定し、前記リソース群にはデータ信号が割り当てられない、
請求項１記載の端末。
【請求項９】
前記複数の参照信号は、前記リソース群内の互いに異なるリソースに割り当てられる、
請求項８記載の端末。
【請求項１０】
前記複数の参照信号の送信周期は、前記所定の周期の整数倍である、
請求項８記載の端末。
【請求項１１】
前記第１の測定手段は、前記複数の送信ポイントとは異なるセル識別子を持つ第２の送信ポイントからの第２の参照信号を用いて測定された第３の受信品質が所定の条件を満たした場合、前記第２の送信ポイント、および、前記第２の送信ポイントと同一のセル識別子を持つ複数の送信ポイントからの前記複数の参照信号を用いて、前記複数の参照信号のそれぞれに対する前記第１の受信品質を測定し、
前記複数の参照信号は前記複数の送信ポイント毎に異なるリソースで送信され、前記第２の参照信号は、セル識別子に基づいて決められるリソースで送信される、
請求項１記載の端末。
【請求項１２】
前記送信手段は、前記第２の送信ポイント、および、前記第２の送信ポイントと同一のセル識別子を持つ複数の送信ポイントからの前記複数の参照信号を用いて測定した、前記複数の参照信号のそれぞれに対する前記第１の受信品質を、所定の条件を満たした前記第３の受信品質を報告するタイミングで報告する、
請求項１１記載の端末。
【請求項１３】
前記送信手段は、前記第２の送信ポイント、および、前記第２の送信ポイントと同一のセル識別子を持つ複数の送信ポイントからの前記複数の参照信号を用いて測定した、前記複数の参照信号のそれぞれに対する前記第１の受信品質を、前記第２の送信ポイントへのハンドオーバ完了メッセージを報告するタイミングで送信する、
請求項１１記載の端末。
【請求項１４】
前記端末は複数の単位バンドを用いて通信し、
前記第１の測定手段は、特定の単位バンドが前記端末に対して新たに追加される場合、前記特定の単位バンドの周波数において、前記複数の送信ポイントからの前記複数の参照信号を用いて前記第１の受信品質を測定し、
前記送信手段は、所定の条件を満たす前記第１の受信品質を前記第１の基地局へ報告し、
前記特定の単位バンドには、前記参照信号が配置され、かつ、前記参照信号と異なる第２の参照信号が配置されない、
請求項１記載の端末。
【請求項１５】
前記候補リストに示される前記複数の参照信号を用いて、前記複数の参照信号のそれぞれに対する第３の受信品質を測定する第３の測定手段、を更に具備し、
前記送信手段は、前記複数の参照信号のうち、上りリンクに関する所定の条件を満たす前記第３の受信品質に対応する、少なくとも一つの前記参照信号に関する第３の情報を、送信し、
前記受信手段は、前記複数の参照信号のうち、前記第３の情報を用いて決定された、少なくとも一つの特定の参照信号に関する第４の情報を受信する、
請求項４記載の端末。
【請求項１６】
前記第３の情報には、前記上りリンクに関する所定の条件を満たす前記第３の受信品質に対応する前記参照信号を示す識別子、または、前記所定の条件を満たす前記第３の受信品質の測定結果が含まれる、
請求項１５記載の端末。
【請求項１７】
前記第４の情報には、前記第３の情報を用いて決定された前記特定の参照信号を示す識別子が含まれる、
請求項１５記載の端末。
【請求項１８】
前記第３の受信品質は、前記第１の受信品質を用いて算出される受信品質である、
請求項１５記載の端末。
【請求項１９】
前記第１の受信品質の通知に要する情報量は、前記第２の受信品質の通知に要する情報量よりも小さい、
請求項１記載の端末。
【請求項２０】
前記第１の受信品質の測定周期は、前記第２の受信品質の測定周期よりも長い、
請求項１記載の端末。
【請求項２１】
参照信号を端末に送信する送信手段と、
前記端末で複数の送信ポイントからの複数の参照信号を用いて測定された、前記複数の参照信号のそれぞれに対する第１の受信品質であって、所定の条件を満たす前記第１の受信品質を受信する受信手段と、
前記複数の参照信号のうち、第２の受信品質の測定対象である少なくとも一つの特定の参照信号を決定する決定手段と、
を具備し、
前記受信手段は、前記端末で前記特定の参照信号を用いて測定された、前記第２の受信品質を受信する、
送信装置。
【請求項２２】
前記送信手段は、前記複数の参照信号を示す候補リストを前記端末に送信し、
前記受信手段は、前記端末で前記候補リストに示される前記参照信号を用いて測定された、前記複数の参照信号のそれぞれに対する前記第１の受信品質であって、所定の条件を満たす前記第１の受信品質を受信し、
前記送信手段は、前記特定の参照信号を示す測定リストを前記端末に送信し、
前記受信手段は、前記端末で前記測定リストに示される前記特定の参照信号を用いて測定された、前記第２の受信品質を受信する、
請求項２１に記載の送信装置。
【請求項２３】
複数の送信ポイントからの複数の参照信号を用いて、前記複数の参照信号のそれぞれに対する第１の受信品質を測定し、
前記複数の参照信号のうち、少なくとも一つの特定の参照信号に関する第１の情報を受信し、
前記第１の情報に基づいて、前記特定の参照信号を用いて、第２の受信品質を測定し、
所定の条件を満たす前記第１の受信品質、及び、前記第２の受信品質を報告する、
受信品質報告方法。
【請求項２４】
参照信号を端末に送信し、
前記端末で複数の送信ポイントからの参照信号を用いて測定された、前記複数の参照信号のそれぞれに対する第１の受信品質であって、所定の条件を満たす前記第１の受信品質を受信し、
前記複数の参照信号のうち、第２の受信品質の測定対象である少なくとも一つの特定の参照信号を決定し、
前記端末で前記特定の参照信号を用いて測定された、前記第２の受信品質を受信する、
受信方法。
【発明の詳細な説明】
【技術分野】
【０００１】
本発明は、端末、送信装置、受信品質報告方法および受信方法に関する。
【背景技術】
【０００２】
３ＧＰＰ−ＬＴＥ(3rd Generation Partnership Project Radio Access Network Long Term Evolution、以下、ＬＴＥという)のRelease 8（以下、Rel.8という）では、下りリンクの通信方式としてＯＦＤＭＡ（Orthogonal Frequency Division Multiple Access）が採用され、上りリンクの通信方式としてＳＣ−ＦＤＭＡ（Single Carrier Frequency Division Multiple Access）が採用されている。【０００３】
Rel.8の下りリンクでは、データ信号（ＰＤＳＣＨ）を復調するための参照信号（リファレンス信号）として、Cell specific Reference Signal（以下、ＣＲＳという）が用いられる。ＣＲＳは、セル内共通の参照信号として、セルＩＤに依存した時間・周波数リソースで送信され、セルの全てのエリアをカバーするように送信される。また、ＣＲＳは、全てのサブフレームで送信される。さらに、ＣＲＳは、リンクアダプテーション、および、セル選択などの移動管理(Mobility Management)向けの測定のためにも使用される。すなわち、端末（又はＵＥ（User Equipment）と呼ぶ）は、自機が接続しているセル（自セル）および隣接セルのＣＲＳを用いて、受信電力（ＲＳＲＰ：Reference Signal Reception Power）または受信品質（ＲＳＲＱ：Reference Signal Reception Quality）の測定を行う。そして、端末は、例えば、隣接セルのＲＳＲＰが自セルのＲＳＲＰよりも３ｄＢ高い場合等、所定の基準を満たす場合、当該隣接セルのセルＩＤおよびＲＳＲＰを報告する。このとき、隣接セルのセルＩＤに関する情報が報知されている場合、端末は、そのセルＩＤを用いてセルの検出を行うことができる（例えば、非特許文献１参照）。【０００４】
一方、ＬＴＥ（Rel.8）をさらに進めたＬＴＥ−Ａｄｖａｎｃｅｄ（以下、「LTE-A」または「Release 10（Rel.10）」という）では、下りリンクのＭＩＭＯ（Multiple Input Multiple Output）送信の拡張として、ＤＭＲＳ（DeModulation Reference Signal又は「UE specific Reference Signal」と呼ぶ）を用いたデータ送信がサポートされている。セル全体に向けて送信されるＣＲＳに対して、ＤＭＲＳは、データが割り当てられた端末向けに送信されるため、Precodingによるビーム形成が可能であり、高スループットのデータ伝送が可能である（例えば、非特許文献２、３、４参照）。Rel.10において、ＤＭＲＳを用いた送信は送信モード９が設定された端末向けに用いることができる。【０００５】
また、リンクアダプテーションまたはスケジューリングに用いられるＣＳＩ（Channel State Information）はＣＳＩ−ＲＳを用いて測定される。ＣＳＩ−ＲＳは、各アンテナ(アンテナポート)から異なるリソース（時間、周波数又はコード）で送信される。例えば、ＣＳＩ−ＲＳは通常１０サブフレーム（１０ｍｓ）程度の間隔で送信される。また、端末でＣＳＩ測定及び報告対象とすべきＣＳＩ−ＲＳのリソース情報は、基地局（又はｅＮＢと呼ぶ）から端末（ＵＥ）へ通知される。なお、ＣＳＩには、受信品質（ＳＩＮＲ）あるいは達成可能なデータレートを示すＣＱＩ（Channel Quality Indicator）および最適なPrecoding Matrixを示すＰＭＩ（Precoding Matrix Indicator）が含まれる。【０００６】
また、Rel.10の次のReleaseであるRelease 11（以下、Rel.11という）では、カバーエリアの大きさが異なる複数の基地局を用いたヘテロジニアスネットワーク（Heterogeneous Network）におけるＣｏＭＰ（Coordinated Multi Point transmission and reception）が検討されている。ヘテロジニアスネットワークは、マクロ基地局（ＨＰＮ（High Power Node））とピコ基地局（ＬＰＮ（Low Power Node）又はＲＲＨ（Remote Radio Head））とから構成されるネットワークである。ＣｏＭＰでは、複数ノード（送信ポイント（ＴＰ：Transmission Point））が協調して端末に対してデータの送受信を行う。ここで、従来のシステムでは、各送信ポイントは異なるセルＩＤを有するセルを形成していた。よって、セルＩＤに依存した時間・周波数リソース配置で送信されるＣＲＳは、セル毎に異なる配置で送信される。これに伴い、データ（ＰＤＳＣＨ）も異なるリソース配置となるので、複数の送信ポイントからの協調送信は限定的となる。【０００７】
そこで、Rel.11では、同一セルＩＤを用いたＣｏＭＰ運用が検討されている（例えば非特許文献５参照）。同一セルＩＤを用いたＣｏＭＰ運用とは、マクロセル（ＨＰＮ（マクロ基地局、Macro eNB）がカバーするセル）内の複数のＬＰＮ（ピコ基地局）に対して、ＨＰＮのセルＩＤと同一のセルＩＤを付与する運用である（例えば図１参照）。このような運用では、同一マクロセル内のＨＰＮおよびＬＰＮ（以降、送信ポイントと記載）のセルＩＤが同一であるため、セルＩＤに依存したリソースで送信されるＣＲＳは、複数の送信ポイントにおいて同一リソースで送信される。よって、端末では、各送信ポイントから送信されたＣＲＳがＳＦＮ（Single Frequency Network）合成されて受信される。また、ＣＲＳを用いて復調される各端末向けのデータ（ＰＤＳＣＨ）及び制御チャネル（ＰＤＣＣＨ）は、ＣＲＳと同一の位相関係を維持するために全送信ポイントから同一の時間・周波数リソースで送信される。そこで、Rel.11では、UE specific Reference Signal（例えばＤＭＲＳ）を用いて異なる送信ポイントから同一の時間・周波数リソースで異なる端末向けのＰＤＳＣＨを送信することが検討されている。
【先行技術文献】
【非特許文献】
【０００８】
【非特許文献１】3GPP TS 36.331 V10.1.0, “Radio Resource Control (RRC) (Release 10),” March 2011
【非特許文献２】3GPP TS 36.211 V10.1.0, “Physical Channels and Modulation (Release 10),” March 2011
【非特許文献３】3GPP TS 36.212 V10.1.0, “Multiplexing and channel coding (Release 10),” March 2011
【非特許文献４】3GPP TS 36.213 V10.1.0, “Physical layer procedures (Release 10),” March 2011
【非特許文献５】3GPP TSG RAN WG1 meeting, R1-110649, Feb. 2011
【発明の概要】
【発明が解決しようとする課題】
【０００９】
同一セルＩＤを用いたＣｏＭＰ運用では、各端末に対して、各端末の近傍に位置する送信ポイントのみからデータ送信を行うことにより、同一の時間・周波数リソースを離れた送信ポイントで異なるユーザ向けリソースとして再利用することができる。これにより、高効率かつ高スループットのシステム運用が可能となる。【００１０】
しかしながら、従来のシステムでは、各端末に対して適切な送信ポイントを選択するためには、各送信ポイントからそれぞれ異なるＣＳＩ−ＲＳ（各送信ポイント間で互いに異なるリソースに配置されたＣＳＩ−ＲＳ）を送信する必要がある（例えば図２参照）。すなわち、端末に対して、ＣＳＩ測定・報告対象のＣＳＩ−ＲＳとして、同一セルＩＤを有するエリア内で使用されている全てのＣＳＩ−ＲＳリソースを通知し、ＣＳＩ測定・報告させる必要がある。これにより、基地局は、端末から報告される、全ての送信ポイントのＣＳＩ−ＲＳに対するＣＳＩ測定結果に基づいて、適切な送信ポイントを決定することができる。【００１１】
しかしながら、ＣＳＩはデータ送信のリンクアダプテーションに用いられ、瞬時のフェージング変動に追従するために比較的短い間隔で報告される必要がある。また、端末はＣＳＩとして品質良好なＰＭＩ及び周波数（サブバンド）毎のＣＱＩの情報を報告するので、ＣＳＩ測定結果のデータ量は比較的大きい。よって、端末が全ての送信ポイントのＣＳＩ−ＲＳに対するＣＳＩ測定結果を報告すると、ＣＳＩ測定結果の情報量が膨大となり、上りリンクのデータスループット劣化を招く恐れがある。また、端末でのＣＳＩ測定（ＣＱＩ及びＰＭＩの算出）のための計算量が多くなり、端末のcomplexityが増大する。【００１２】
本発明の目的は、ＣＳＩ報告のオーバーヘッドを低減しつつ、適切な送信ポイントを選択することができる端末、送信装置、受信品質報告方法および受信方法を提供することである。
【課題を解決するための手段】
【００１３】
本発明の一態様の端末は、複数の送信ポイントからの複数の参照信号を用いて、前記複数の参照信号のそれぞれに対する第１の受信品質を測定する第１の測定手段と、前記複数の参照信号のうち、少なくとも一つの特定の参照信号に関する第１の情報を受信する受信手段と、前記第１の情報に基づいて、前記特定の参照信号を用いて、第２の受信品質を測定する第２の測定手段と、所定の条件を満たす前記第１の受信品質、及び、前記第２の受信品質を報告する送信手段と、を具備する構成を採る。【００１４】
本発明の一態様の送信装置は、参照信号を端末に送信する送信手段と、前記端末で複数の参照信号を用いて測定された、前記複数の参照信号のそれぞれに対する第１の受信品質であって、所定の条件を満たす前記第１の受信品質を受信する受信手段と、前記複数の参照信号のうち、第２の受信品質の測定対象である少なくとも一つの特定の参照信号を決定する決定手段と、を具備し、前記受信手段は、前記端末で前記特定の参照信号を用いて測定された、前記第２の受信品質を受信する。【００１５】
本発明の一態様の受信品質報告方法は、複数の送信ポイントからの複数の参照信号を用いて、前記複数の参照信号のそれぞれに対する第１の受信品質を測定し、前記複数の参照信号のうち、少なくとも一つの特定の参照信号に関する第１の情報を受信し、前記第１の情報に基づいて、前記特定の参照信号を用いて、第２の受信品質を測定し、所定の条件を満たす前記第１の受信品質、及び、前記第２の受信品質を報告する。【００１６】
本発明の一態様の受信方法は、参照信号を端末に送信し、前記端末で複数の送信ポイントからの参照信号を用いて測定された、前記複数の参照信号のそれぞれに対する第１の受信品質であって、所定の条件を満たす前記第１の受信品質を受信し、前記複数の参照信号のうち、第２の受信品質の測定対象である少なくとも一つの特定の参照信号を決定し、前記端末で前記特定の参照信号を用いて測定された、前記第２の受信品質を受信する。
【発明の効果】
【００１７】
本発明によれば、ＣＳＩ報告のオーバーヘッドを低減しつつ、適切な送信ポイントを選択することができる。
【図面の簡単な説明】
【００１８】
【図１】各マクロセル内で同一セルＩＤを用いたＣｏＭＰ運用を示す図
【図２】各送信ポイントで異なるＣＳＩ−ＲＳリソースを用いたＣｏＭＰ運用を示す図
【図３】本発明の実施の形態１に係るマクロ基地局の主要構成図
【図４】本発明の実施の形態１に係る端末の主要構成図
【図５】本発明の実施の形態１に係るマクロ基地局の構成を示すブロック図
【図６】本発明の実施の形態１に係るピコ基地局の構成を示すブロック図
【図７】本発明の実施の形態１に係る端末の構成を示すブロック図
【図８】本発明の実施の形態１に係るマクロ基地局および端末の処理を示す図
【図９】本発明の実施の形態１に係るCSI-RS configurationとマッピングパターンとの対応付けの一例を示す図
【図１０】本発明の実施の形態１に係る１サブフレーム内のＣＳＩ−ＲＳの配置例を示す図
【図１１】本発明の実施の形態２に係る非送信ＣＳＩ−ＲＳリソースの一例を示す図
【図１２】本発明の実施の形態２に係るＣＳＩ−ＲＳの設定例を示す図
【図１３】本発明の実施の形態３に係るマクロ基地局および端末の処理を示す図（報告方法１）
【図１４】本発明の実施の形態３に係るマクロ基地局および端末の処理を示す図（報告方法２）
【図１５】本発明の実施の形態４に係るExtension carrierの一例を示す図
【図１６】本発明の実施の形態５に係るＣｏＭＰ運用を示す図
【図１７】本発明の実施の形態５に係るマクロ基地局および端末の処理を示す図
【発明を実施するための形態】
【００１９】
以下、本発明の実施の形態について図面を参照して詳細に説明する。なお、実施の形態において、同一の構成要素には同一の符号を付し、その説明は重複するので省略する。
【００２０】
［実施の形態１］
［通信システムの概要］
本実施の形態に係る通信システムは、マクロ基地局（ＨＰＮ、Macro eNB）１００と、ピコ基地局（ＬＰＮ、ＲＲＨ）２００と、端末３００とを有する。例えば、マクロ基地局１００は、本実施の形態に係る送信装置に対応する。マクロ基地局１００、および、マクロ基地局１００のカバーエリア内に配置された複数のピコ基地局２００は端末３００に対して協調して信号を送信する。
【００２１】
マクロ基地局１００と、１つまたは複数のピコ基地局２００とは光ファイバ等の低遅延かつ大容量のインタフェースで接続されている。
【００２２】
また、マクロ基地局１００がカバーするセル（マクロセル）内において、マクロ基地局１００およびピコ基地局２００には同一のセルＩＤが設定される。つまり、マクロ基地局１００がカバーするマクロセル内の送信ポイントには同一のセルＩＤが設定される。よって、マクロ基地局１００およびピコ基地局２００は、セルＩＤに依存した同一のリソース（時間、周波数又はコード）でＣＲＳを送信する。
【００２３】
一方、マクロ基地局１００がカバーするマクロセル内の各送信ポイントは、互いに異なるconfiguration（リソース、アンテナポート等の設定）のＣＳＩ−ＲＳを送信する。
【００２４】
また、以下の説明では、各送信ポイントは１つまたは複数のアンテナポートを有する。
【００２５】
また、以下の説明では、端末３００は、ＣＳＩ−ＲＳを用いて、２種類の受信品質を測定する。一方の受信品質（第１の受信品質）は、例えば、受信電力、ＲＳＲＰ、ＲＳＲＱ、ＳＩＮＲ、ＳＬＮＲ（Signal to Leakage plus Noise Ratio）等である。他方の受信電力（第２の受信電力）は、ＣＳＩ（ＣＱＩおよびＰＭＩ）である。ここで、第１の受信品質の測定に要する処理量は、第２の受信品質の測定に要する処理量よりも小さい。また、第１の受信品質の通知に要する情報量は、第２の受信品質の測定に要する情報量よりも小さい。
【００２６】
図３は、本実施の形態に係るマクロ基地局１００の主要構成図である。マクロ基地局１００において、送信部１０２が、参照信号（ＣＳＩ−ＲＳ）を端末３００に送信し、受信部１０３が、端末３００で複数の参照信号を用いて測定された、複数の参照信号のそれぞれに対する第１の受信品質（受信電力）であって、所定の条件を満たす第１の受信品質を受信し、制御部１０１が、複数の参照信号のうち、第２の受信品質（ＣＳＩ）の測定対象である少なくとも一つの特定の参照信号を決定する。また、受信部１０３は、端末３００で特定の参照信号を用いて測定された、第２の受信品質を受信する。
【００２７】
図４は、本実施の形態に係る端末３００の主要構成図である。端末３００において、測定部３０３が、複数の送信ポイントからの複数の参照信号（ＣＳＩ−ＲＳ）を用いて、複数の参照信号のそれぞれに対する第１の受信品質（受信電力）を測定し、受信部３０１が、複数の参照信号のうち、少なくとも一つの特定の参照信号に関する第１の情報（測定リスト）を受信し、測定部３０３が、第１の情報に基づいて、特定の参照信号を用いて、第２の受信品質（ＣＳＩ）を測定し、送信部３０４が、所定の条件を満たす第１の受信品質、および、第２の受信品質を報告する。
【００２８】
［マクロ基地局１００の構成］
図５は、本実施の形態に係るマクロ基地局１００の構成を示すブロック図である。
【００２９】
図５に示すマクロ基地局１００において、制御部１０１は、各端末３００がＣＳＩ測定・報告対象とするＣＳＩ−ＲＳ（つまり、送信ポイント）の制御、および、ピコ基地局２００（ＲＲＨ）の制御を行う。
【００３０】
具体的には、制御部１０１は、マクロ基地局１００がカバーするマクロセル内の送信ポイント（マクロ基地局１００（ＨＰＮ）およびピコ基地局２００（ＬＰＮ））において使用しているＣＳＩ−ＲＳのconfiguration（設定情報）を示すリストを、「CSI-RS候補リスト（CSI-RS candidate list：ＣＣＬ）」として作成する。つまり、「CSI-RS候補リスト」は複数のＣＳＩ−ＲＳを示す。なお、上りリンクの受信信号電力等から端末３００の位置検出ができる場合、制御部１０１は、端末３００の近傍に位置する送信ポイント（ＨＰＮ／ＬＰＮ）のＣＳＩ−ＲＳのconfigurationのみをCSI-RS候補リストに含めてもよい。
【００３１】
また、制御部１０１は、端末３００がＣＳＩ−ＲＳを用いて測定する受信電力（ＲＳＲＰ）報告を行うか否かの基準である所定の条件（以下、報告条件という）を設定する。「報告条件」として、例えば、受信電力（ＲＳＲＰ）が予め設定された閾値以上であること等が挙げられる。すなわち、端末３００では、報告条件を満たす場合に受信電力測定結果の報告が行われる。
【００３２】
また、制御部１０１は、受信部１０３または基地局間ＩＦ１０４から入力される端末３００からの信号（受信信号）に含まれる、ＣＳＩ−ＲＳに関する情報（上記報告条件を満たしたＣＳＩ−ＲＳリソースの識別子、および、受信電力測定結果）を用いて、ＣＳＩ測定・報告の対象とするＣＳＩ−ＲＳのconfiguration（すなわち、送信ポイント）を決定する。すなわち、制御部１０１は、複数のＣＳＩ−ＲＳのうち、ＣＳＩの測定対象である少なくとも１つの特定のＣＳＩ−ＲＳを決定する。制御部１０１は、決定したＣＳＩ−ＲＳのconfiguration（少なくとも１つの特定のＣＳＩ−ＲＳ）を、「CSI-RS測定リスト（CSI-RS measurement list：ＣＭＬ）」として生成する。つまり、「CSI-RS測定リスト」は、上記特定のＣＳＩ−ＲＳを示す情報であって、CSI-RS候補リストに示される複数のＣＳＩ−ＲＳのうち、報告条件を満たす受信電力に対応する、少なくとも一つのＣＳＩ−ＲＳに関する情報を用いて決定される。ここで、CSI-RS測定リストとして、ＣＳＩ−ＲＳの時間・周波数リソース等の情報を含めてもよいし、CSI-RS候補リストで付与されるＣＳＩ−ＲＳリソースの識別子（つまり、CSI-RS候補リストの何番目のCSI-RS configurationであるかを示す情報）を用いてもよい。後者のＣＳＩ−ＲＳリソースの識別子を用いる場合は、CSI-RS測定リストの通知情報量を削減可能である。
【００３３】
また、制御部１０１は、受信部１０３または基地局間ＩＦ１０４から入力される端末３００からの信号（受信信号）に含まれる、ＣＳＩ測定結果（ＣＱＩおよびＰＭＩ）を用いて、ＤＭＲＳおよびデータ（ＰＤＳＣＨ）の送信に用いる送信ポイントに対する送信パラメータを決定する。つまり、制御部１０１は、ＣＳＩ測定結果に基づいてＰＤＳＣＨのスケジューリングを行う。送信ポイントに対する送信パラメータとしては、例えば、周波数リソース、Precoding Matrix、送信電力等が挙げられる。この送信パラメータは、送信部１０２および基地局間ＩＦ（インタフェース）１０４に出力される。
【００３４】
また、制御部１０１は、ＣＳＩ−ＲＳ、ＣＲＳ、ＤＭＲＳ、ＰＤＣＣＨ等の送信に用いる送信パラメータ（セルＩＤ、アンテナポート、時間・周波数リソース等）のconfigurationを設定する。なお、マクロ基地局１００のセル（マクロセル）内では、セルＩＤは、送信ポイント間で同一であり、セルＩＤに依存する、ＣＲＳのリソース（ＣＲＳリソース）は、送信ポイント間で共通のリソースである。一方、ＣＳＩ−ＲＳは、送信ポイント毎に異なるconfigurationとする。このconfigurationは、送信部１０２および基地局間ＩＦ（インタフェース）１０４に出力される。
【００３５】
以上のように制御部１０１で生成された「CSI-RS候補リスト」および「報告条件」は、送信部１０２を介して各端末３００へ送信される。これらの情報は、報知情報として送信されてもよく、端末個別のＲＲＣ制御情報として通知されてもよい。または、CSI-RS候補リストは、ＭＡＣヘッダに含めてもよい。また、「CSI-RS測定リスト」は、送信部１０２を介して各端末３００へ送信される。この情報は、端末個別の制御情報として送信されてもよく、ＲＲＣ制御情報として通知されてもよく、ＭＡＣヘッダまたはＰＤＣＣＨに含めてもよい。
【００３６】
送信部１０２は、制御部１０１から入力される情報（「CSI-RS候補リスト」、「報告条件」および「CSI-RS測定リスト」を含む）に対して送信処理を施し、送信処理後の信号をアンテナを介して送信する。また、送信部１０２は、制御部１０１から入力される送信パラメータ（configuration）に従って、ＣＳＩ−ＲＳ、ＣＲＳ、ＤＭＲＳ、端末３００へのデータ信号（ＰＤＳＣＨ）および制御信号（ＰＤＣＣＨ）を送信する。
【００３７】
受信部１０３は、アンテナを介して受信した信号に対して受信処理を施し、得られた受信信号を制御部１０１に出力する。受信信号には、端末３００からのデータ信号、ＣＳＩ−ＲＳに関する情報（上記「報告条件を満たしたＣＳＩ−ＲＳの情報」）、ＣＳＩ測定結果（ＣＱＩおよびＰＭＩ）等が含まれる。
【００３８】
基地局間ＩＦ１０４は、ピコ基地局２００との間で通信を行う。例えば、基地局間ＩＦ１０４は、ピコ基地局２００から端末３００への送信に用いる送信パラメータおよび送信データの転送、および、ピコ基地局２００が受信した端末３００からの受信データ（報告条件を満たしたＣＳＩ−ＲＳの情報、および、ＣＳＩ測定結果を含む）の受信等を行う。
【００３９】
［ピコ基地局２００の構成］
図６は、本実施の形態に係るピコ基地局２００の構成を示すブロック図である。
【００４０】
図６に示すピコ基地局２００において、基地局間ＩＦ２０１は、マクロ基地局１００（図５）との間で通信を行う。例えば、基地局間ＩＦ２０１は、端末３００への送信に用いる送信パラメータおよび送信データを、マクロ基地局１００から受け取り、受け取った送信パラメータおよび送信データを送信部２０２に出力する。また、基地局間ＩＦ２０１は、受信部２０３から入力される、端末３００からの受信データ（ＣＳＩ−ＲＳの測定結果に関する情報（報告条件を満たしたＣＳＩ−ＲＳの情報）およびＣＳＩ測定結果（ＣＱＩおよびＰＭＩ）を含む）を、マクロ基地局１００へ転送する。
【００４１】
送信部２０２は、基地局間ＩＦ２０１から入力される送信パラメータに従って、端末３００宛ての送信データをアンテナを介して送信する。
【００４２】
受信部２０３は、アンテナを介して端末３００からの信号を受信する。端末３００からの信号には、ユーザデータ、ＣＳＩ−ＲＳの測定結果に関する情報（所定の条件を満たしたＣＳＩ−ＲＳの情報）、ＣＳＩ測定結果（ＣＱＩおよびＰＭＩ）等が含まれる。
【００４３】
［端末３００の構成］
図７は、本実施の形態に係る端末３００の構成を示すブロック図である。端末３００は、マクロ基地局１００（図５）またはピコ基地局２００（図６）と通信を行う。
【００４４】
図７に示す端末３００において、受信部３０１は、アンテナを介して受信した信号に対して受信処理を施し、受信信号を得る。受信信号には、マクロ基地局１００（ＨＰＮ）またはピコ基地局２００（ＬＰＮ）から送信される、ＣＲＳ、ＣＳＩ−ＲＳ、ＤＭＲＳ、データ信号（ＰＤＳＣＨ）、制御信号（ＰＤＣＣＨ）等が含まれる。さらに、受信信号には、マクロ基地局１００から送信される、「CSI-RS候補リスト」、「報告条件」または、「CSI-RS測定リスト」が含まれる。
【００４５】
なお、受信部３０１は、制御部３０２から指示されるリソースでデータ信号（ＰＤＳＣＨ）、または、ＣＳＩ−ＲＳを抽出する。受信部３０１は、ＣＳＩ−ＲＳを測定部３０３に出力する。また、受信部３０１は、受信信号から「CSI-RS候補リスト」、「報告条件」および「CSI-RS測定リスト」を抽出し、抽出した情報を制御部３０２に出力する。
【００４６】
制御部３０２は、受信部３０１から入力される、「CSI-RS候補リスト」または「CSI-RS測定リスト」に基づいて、ＣＳＩ−ＲＳのリソース情報（どのリソース（時間、周波数、コード）にＣＳＩ−ＲＳが含まれているかを示す情報）を、受信部３０１に指示する。また、制御部３０２は、例えば、制御情報（ＰＤＣＣＨ）に基づいて、下りリンクのデータ信号（ＰＤＳＣＨ）のリソース情報（どのリソースのユーザデータを受信すべきかを示す情報）を、受信部３０１に指示する。また、制御部３０２は、例えば、制御情報（ＰＤＣＣＨ）に基づいて、上りリンクのデータ信号（ＰＵＳＣＨ）のリソース情報（どのリソースでユーザデータを送信すべきかを示す情報）を、送信部３０４に指示する。
【００４７】
また、制御部３０２は、受信部３０１から入力される「報告条件（CSI-RS候補リストに基づく受信電力測定結果の報告を行うか否かの基準となる条件）」を測定部３０３に出力する。
【００４８】
測定部３０３は、受信部３０１から入力されるＣＳＩ−ＲＳを用いて、CSI-RS候補リストに基づく受信電力（例えば、ＲＳＲＰ）測定を行う。すなわち、測定部３０３は、複数の送信ポイントからの複数のＣＳＩ−ＲＳ（CSI-RS候補リストに示される複数のＣＳＩ−ＲＳ）を用いて、複数のＣＳＩ−ＲＳのそれぞれに対する受信電力を測定する。受信電力の測定結果は送信ポイントの選択に用いられる。測定部３０３は、比較的長い間（例えば、数百ｍｓ）平均した受信電力を測定する。換言すると、測定部３０３は、比較的低頻度で周期的に受信電力を測定する。
【００４９】
また、測定部３０３は、測定した受信電力が「報告条件（例えば、受信電力が予め設定された閾値以上）」を満たすか否かを判断する。測定部３０３は、測定した受信電力が報告条件を満たす場合、当該受信電力に対応するＣＳＩ−ＲＳ（ＣＳＩ−ＲＳのリソースの識別子）および受信電力を示す情報を含むＣＳＩ−ＲＳに関する情報を送信部３０４に出力する。これにより、CSI-RS候補リストに示される複数のＣＳＩ−ＲＳのうち、報告条件を満たす受信電力に対応する、少なくとも一つのＣＳＩ−ＲＳに関する情報が基地局１００へ送信される。当該ＣＳＩ−ＲＳに関する情報には、例えば、報告条件を満たす受信電力に対応する当該ＣＳＩ−ＲＳを示す識別子、報告条件を満たす受信電力測定結果等が含まれる。
【００５０】
また、測定部３０３は、受信部３０１から入力されるＣＳＩ−ＲＳを用いて、CSI-RS測定リストに基づくＣＳＩ（ＣＱＩおよびＰＭＩ）測定を行う。すなわち、測定部３０３は、CSI-RS測定リストによって示される特定のＣＳＩ−ＲＳを用いてＣＳＩを測定する。ＣＳＩは実際のデータ送信におけるスケジューリング、リンクアダプテーション（ＭＣＳ制御）およびPrecoding制御に用いられる。測定部３０３は、フェージング変動の小さい、比較的短い間の平均したＣＳＩ（またはサブフレーム毎のＣＳＩ）を測定する。換言すると、測定部３０３は、比較的高頻度で周期的にＣＳＩを測定する。なお、ＣＳＩは、最大スループットを実現可能なPrecoding Matrixを示すＰＭＩと、所定の誤り率で伝送可能なデータレートあるいはＭＣＳを示すＣＱＩとから構成される。
【００５１】
つまり、測定部３０３は、ＣＳＩ−ＲＳを用いて、CSI-RS候補リストに基づいて複数の送信ポイントの第１の受信品質（受信電力等）を測定するとともに、CSI-RS測定リストに基づいて特定の送信ポイントの第２の受信品質（ＣＳＩ）を測定する。以上のように測定部３０３で測定された受信電力の測定結果（ＣＳＩ−ＲＳに関する情報）、または、ＣＳＩの測定結果は、送信部３０４に出力される。
【００５２】
送信部３０４は、ユーザデータ（ＰＵＳＣＨ）、ＣＳＩ−ＲＳに関する情報（所定の条件を満たしたＣＳＩ−ＲＳの情報）またはＣＳＩ測定結果（ＣＱＩおよびＰＭＩ）を含む送信信号に対して送信処理を施し、送信処理後の信号をアンテナを介して送信する。なお、送信部３０４は、制御部３０２からの指示に従って、ユーザデータを送信する。このようにして、ＣＳＩ−ＲＳに関する情報（所定の条件を満たしたＣＳＩ−ＲＳの情報）またはＣＳＩ測定結果（ＣＱＩおよびＰＭＩ）は、直接、または、端末３００が接続するピコ基地局２００を介して、マクロ基地局１００へ報告される。
【００５３】
［マクロ基地局１００及び端末３００の動作］
以上の構成を有するマクロ基地局１００及び端末３００の動作について説明する。
【００５４】
図８は、マクロ基地局１００（ｅＮＢと表す）および端末３００（ＵＥと表す）の処理の流れを示すフロー図である。
【００５５】
図８において、ステップ（以下、「ＳＴ」という）１０１では、マクロ基地局１００は、制御部１０１で設定されたCSI-RS候補リスト（ＣＣＬ）を端末３００へ通知する。CSI-RS候補リストには、マクロ基地局１００のセル（マクロセル）内の送信ポイント分（つまり、ＣＳＩ−ＲＳ候補分）のconfigurationが含まれる。各ＣＳＩ−ＲＳ候補の識別子として、例えば、CSI-RS候補番号（または、CSI-RS configuration ID）が付与される。例えば、図８では、CSI-RS候補リスト内には、CSI-RS候補番号１〜６（CSI-RS 1〜6）が含まれる。
【００５６】
また、ＣＳＩ−ＲＳに関するconfiguration（CSI-RS configuration）には、（１）アンテナポート数（Antenna Ports Count）、（２）サブフレーム内の時間・周波数リソース位置（resourceConfig）、（３）ＣＳＩ−ＲＳの送信周期と時間オフセット（subframeConfig）、（４）優先選択のための測定結果に対するオフセット（CSI-RS individual offset）等が含まれる。
【００５７】
すなわち、CSI-RS候補リストには、上記（１）−（４）の情報から成るCSI-RS configurationが送信ポイント分（ＣＳＩ−ＲＳ候補分）含まれる。
【００５８】
例えば、図９に示すように、CSI-RS configuration（RRCパラメータ名：resourceConfig）と時間・周波数領域におけるマッピングパターンとが対応付けられているとする。この場合、「resourceConfig」は、図９に示すように、CSI-RS configuration IDを通知することで特定される。例えば、図９に示すマッピングパターン（Pattern0〜4）は、図１０に示す物理リソースのマッピング（Pattern0〜4）にそれぞれ対応する。
【００５９】
また、「subframeConfig」は、例えば、所定の周期及び時間オフセット（サブフレームオフセット）の組合せによって定義される。例えば、周期が１０ｍｓ（１０サブフレーム）で時間オフセットが０（０サブフレーム）であれば、サブフレーム＃０から１０ｍｓの周期がＣＳＩ−ＲＳに設定される。
【００６０】
また、「CSI-RS individual offset」は、各CSI-RS候補の測定結果に付与されるオフセットである。これにより、例えば、混雑している送信ポイントのCSI-RSではオフセットを低くすることで当該送信ポイントが選択されにくくする等の制御が可能となる。なお、「CSI-RS individual offset」は、mobility measurementと同様のものが用いられてもよい。
【００６１】
また、マクロ基地局１００は、受信電力の測定方法、および、受信電力測定結果の「報告条件（Event）」を端末３００へ通知する（図示せず）。受信電力の測定方法として、ＲＳＲＰ、ＲＳＲＱ、受信ＳＩＲ（Signal to Interference Ratio）、受信ＳＬＮＲ（Signal to Leakage plus Noise Ratio：所望信号電力対他セルの端末への与干渉電力(＋雑音電力)比）等が挙げられる。
【００６２】
また、「報告条件（Event）」として、測定結果が予め設定された閾値Ａを上回った場合、測定結果が予め設定された閾値Ｂを下回った場合、または、測定結果が現在ＣＳＩ測定対象（つまり，CSI-RS測定リスト）として指定されているＣＳＩ−ＲＳの測定結果を予め設定された閾値Ｃ［ｄＢ］だけ上回った場合等が挙げられる。端末３００は、CCLに基づいてCSI-RSを用いた受信電力が閾値を上回った場合、第１の受信品質を基地局１００に送信する。このため、基地局１００は、端末３００に第２の受信品質を測定させるCSI-RS候補（第２の情報：CML）として考慮すべき送信ポイントを適切なタイミングで知ることができる。また、端末３００は、CCLに基づいてCSI-RSを用いた受信電力が閾値を下回った場合に、第１の受信品質を基地局１００に送信する。このため、基地局１００は、端末３００に第２の受信品質を測定させるCSI-RS候補（第２の情報：CML）として考慮しなくてよい送信ポイントを適切なタイミングで知ることができる。その結果、基地局１００は、端末３００に適したCSI-RS候補を適切なタイミングで更新することができるため、適切にスケジューリングすることができる。その結果、端末３００のスループットを向上することができ、かつ、周波数リソースの有効活用を行うことができる。また、端末３００が使用候補とされている送信ポイントの受信品質を、他の送信ポイントの受信品質が上回った場合に第１の受信品質を送信することで、基地局１００は、より的確に第２の受信品質を測定するCSI-RS候補を決定することができる。図８は、測定方法としてＲＳＲＰを用いて、報告条件として、閾値Th_addを上回った場合、および、閾値Th_removeを下回った場合とした場合の一例を示す。
【００６３】
端末３００の測定部３０３は、ＳＴ１０１で通知されたCSI-RS候補リスト、および、マクロ基地局１００から通知された受信電力の測定方法に基づいて、ＣＳＩ−ＲＳを用いたＲＳＲＰ測定を行う。すなわち、図８では、測定部３０３は、CSI-RS候補リストに示されるCSI-RS 1〜6のCSI-RS configurationに基づいて、６種類のＣＳＩ−ＲＳ（つまり、６個の送信ポイント）に対するＲＳＲＰを測定する。また、測定部３０３は、測定したＲＳＲＰが報告条件を満たすか否かを判断する。図８では、CSI-RS候補リスト（CSI-RS 1〜6）のうち、CSI-RS 1およびCSI-RS 2のＲＳＲＰが閾値Th_addを上回っている。
【００６４】
ＳＴ１０２では、端末３００は、CSI-RS候補リストに示される複数のＣＳＩ−ＲＳ候補のうち、報告条件を満たすＲＳＲＰに対応する少なくとも一つのＣＳＩ−ＲＳ候補（つまり、送信ポイント）に関する情報をマクロ基地局１００へ報告（送信）する。具体的には、端末３００は、報告条件を満たすCSI-RS候補番号（図８ではCSI-RS 1およびCSI-RS 2）および、報告条件を満たすＣＳＩ−ＲＳの測定結果（図８ではvalue 1およびvalue 2）をマクロ基地局１００へ報告する。すなわち、マクロ基地局１００は、端末３００で複数のＣＳＩ−ＲＳを用いて測定された、複数のＣＳＩ−ＲＳのそれぞれに対する受信電力測定結果であって、報告条件を満たす受信電力測定結果を受信する。なお、端末３００は、ＲＳＲＰ（受信電力）報告の際、CSI-RS候補番号のみを報告してもよい。
【００６５】
マクロ基地局１００の制御部１０１は、ＳＴ１０２において端末３００から受け取った情報（CSI-RS候補番号およびＲＳＲＰ測定結果）に基づいて、CSI-RS候補リストに示される複数のＣＳＩ−ＲＳ候補のうち、ＣＳＩ測定に用いるＣＳＩ−ＲＳ（ＣＳＩの測定対象である特定のＣＳＩ−ＲＳ）を少なくとも一つ決定する。図８では、制御部１０１は、CSI-RS 1およびCSI-RS 2を用いている送信ポイントの近傍に端末が存在していると判断する。または、図８では、制御部１０１は、端末３００においてCSI-RS 1およびCSI-RS 2を用いている送信ポイントからの受信品質が他の送信ポイントよりも高いと判断する。そこで、制御部１０１は、ＣＳＩ測定・報告対象のＣＳＩ−ＲＳを、CSI-RS 1およびCSI-RS 2に決定する。換言すると、制御部１０１は、ＣＳＩ測定・報告対象の送信ポイントを、CSI-RS 1を用いている送信ポイントおよびCSI-RS 2を用いている送信ポイントに決定する。
【００６６】
または、制御部１０１は、CSI-RS 1およびCSI-RS 2の何れか一方をＣＳＩ測定・報告対象の特定のＣＳＩ−ＲＳとして決定してもよい。この場合、制御部１０１は、例えば、CSI-RS 1およびCSI-RS 2のうち、ＲＳＲＰの値（value 1およびvalue 2）が大きい方を、ＣＳＩ測定・報告対象のＣＳＩ−ＲＳとして決定してもよい。
【００６７】
ＳＴ１０３では、マクロ基地局１００は、ＣＳＩ測定・報告対象として決定されたCSI-RS 1およびCSI-RS 2を含むCSI-RS測定リスト（ＣＭＬ）を生成し、CSI-RS測定リストを端末３００へ通知する。
【００６８】
端末３００の測定部３０３は、ＳＴ１０３においてCSI-RS測定リストを受け取ると、CSI-RS測定リストに示される特定のＣＳＩ−ＲＳ（CSI-RS 1およびCSI-RS 2）を用いて、ＣＳＩ（ＣＱＩおよびＰＭＩ）を測定する。つまり、測定部３０３は、マクロ基地局１００で報告条件を満たすＲＳＲＰに対応する送信ポイントの情報を用いて決定された特定の送信ポイントからのＣＳＩ−ＲＳを用いて、ＣＳＩを測定する。
【００６９】
ＳＴ１０４では、端末３００は、測定されたＣＳＩをマクロ基地局１００へ報告する（ＣＳＩフィードバック）。すなわち、マクロ基地局１００は、端末３００でCSI-RS測定リストに示される特定のＣＳＩ−ＲＳを用いて測定されたＣＳＩを受信する。マクロ基地局１００は、ＣＳＩフィードバックに基づいて、データ信号（ＰＤＳＣＨ）の送信方法、または、各送信ポイントでのPrecoding Matrixを設定する（ＣＳＩフィードバックに基づくＰＤＳＣＨスケジューリング）。これにより、各送信ポイントからデータおよびＤＭＲＳが送信される。
【００７０】
なお、図８に示すように、ＣＳＩ−ＲＳを用いたＲＳＲＰ測定は、ＣＳＩ−ＲＳを用いたＣＳＩ測定と比較して、長い間隔（低頻度）で実施される。また、ＣＳＩは、周期的に報告されてもよく（periodic CSI reporting）、トリガ等の報告要求に応じて報告されてもよい（aperiodic CSI reporting）。
【００７１】
次いで、図８において、端末３００（測定部３０３）でのCSI-RS候補リストに基づくＲＳＲＰ測定の結果、報告条件を満たす新たな測定結果が得られた場合について説明する。
【００７２】
ＳＴ１０５において、端末３００は、ＳＴ１０２と同様、報告条件を満たすＲＳＲＰに対応するＣＳＩ−ＲＳ候補（送信ポイント）に関する情報（CSI-RS候補番号および測定結果）をマクロ基地局１００へ報告する。図８では、CSI-RS 1のＲＳＲＰが閾値Th_removeを下回り、CSI-RS 3のＲＳＲＰが閾値Th_addを上回っている。よって、ＳＴ１０５では、端末３００は、CSI-RS 1およびCSI-RS 3をマクロ基地局１００へ報告する。なお、ＲＳＲＰが閾値Th_removeを下回ったＣＳＩ−ＲＳの候補について測定結果の報告は不要である。そこで、図８では、端末３００は、報告情報量削減のために、CSI-RS 1について、測定結果（value 1）の代わりに、ＲＳＲＰが閾値Th_removeを下回った旨を示す情報（remove）を報告する。
【００７３】
ＳＴ１０６では、マクロ基地局１００の制御部１０１は、ＳＴ１０３と同様にして、CSI-RS測定リスト（ＣＭＬ）を生成し、CSI-RS測定リストを端末３００へ通知する。この際、制御部１０１は、ＳＴ１０５で受け取った情報に基づいて、ＣＳＩ測定・報告対象を再設定する。例えば、図８では、制御部１０１は、ＳＴ１０４においてＣＳＩ測定・報告対象であったCSI-RS 1およびCSI-RS 2のうち、CSI-RS 1をＣＳＩ測定・報告対象から外し、CSI-RS 3をＣＳＩ測定・報告対象に新たに加える。よって、ＳＴ１０６では、マクロ基地局１００は、CSI-RS 1およびCSI-RS 2を含むCSI-RS測定リストを端末３００へ報告する。
【００７４】
これにより、端末３００の測定部３０３は、CSI-RS測定リストに示されるＣＳＩ−ＲＳ（CSI-RS 2およびCSI-RS 3）を用いて、ＣＳＩ（ＣＱＩおよびＰＭＩ）を測定する。よって、ＳＴ１０７では、CSI-RS 1およびCSI-RS 2に対するＣＳＩフィードバックが行われる。
【００７５】
以降、マクロ基地局１００および端末３００では、同様の処理が継続して実施される。
【００７６】
このようにして、マクロ基地局１００では、送信部１０２が、ＣＳＩ−ＲＳを端末３００に送信し、制御部１０１が、端末３００で複数の基地局（送信ポイント）からのＣＳＩ−ＲＳを用いて測定された、各基地局の受信電力（第１の受信品質）に基づいて、複数の基地局のうち、ＣＳＩ（第２の品質）の測定対象である特定の基地局を決定し、受信部１０３が、端末３００で上記特定の基地局からのＣＳＩ−ＲＳを用いて測定された、上記特定の基地局に対するＣＳＩを受信する。また、端末３００では、測定部３０３が、マクロ基地局１００のカバーエリア内の複数の基地局（送信ポイント）からのＣＳＩ−ＲＳを用いて、各基地局に対する受信電力（第１の受信品質）を測定し、測定部３０３が、複数の基地局のうち、各基地局の受信電力（第１の受信品質）に基づいて決定される特定の基地局のＣＳＩ−ＲＳを用いて、上記特定の基地局に対するＣＳＩ（第２の受信品質）を測定し、測定されたＣＳＩをマクロ基地局１００へ報告する。
【００７７】
すなわち、端末３００は、ＣＳＩ測定・報告を行う前に、受信電力（ＲＳＲＰ等）の測定を行い、受信電力がより高い送信ポイントが使用しているＣＳＩ−ＲＳをマクロ基地局１００へ報告する。これにより、マクロ基地局１００は、マクロセル内に存在する複数の送信ポイントに設定された複数のＣＳＩ−ＲＳの中から、ＣＳＩ測定・報告対象のＣＳＩ−ＲＳを一部に絞って設定することができる。
【００７８】
ここで、図８に示すように、受信電力（ＲＳＲＰ）の報告周期は、ＣＳＩの報告周期と比較して長い。また、受信電力の測定処理は、ＣＱＩおよびＰＭＩ等の詳細な情報を含むＣＳＩの測定処理と比較して処理量が小さい。さらに、受信電力の通知に要する情報量（ビット数等）は、ＣＳＩの通知に要する情報量と比較して小さい。すなわち、端末３００が報告条件を満たすＣＳＩ−ＲＳ候補（送信ポイント）の情報（CSI-RS候補番号、受信電力等）をＣＳＩ測定前にマクロ基地局１００へ報告することによるフィードバック量の増加よりも、ＣＳＩ測定・報告対象のＣＳＩ−ＲＳ（送信ポイント）を一部に絞ることによるフィードバック量の低減の方が、システムに与える影響はより大きくなる。つまり、端末３００が全ての送信ポイントのＣＳＩ測定結果を報告する場合と比較して、端末３００が所定の条件を満たすＣＳＩ−ＲＳ候補をマクロ基地局１００へ事前に報告して、ＣＳＩ測定対象の送信ポイント（基地局）を限定することによるフィードバック量削減の効果は大きい。
【００７９】
こうすることで、ＣＳＩ報告のオーバーヘッドを低減しつつ、適切な送信ポイントを選択することができる。
【００８０】
さらに、本実施の形態では、マクロ基地局１００は、CSI-RS候補リストを端末３００へ予め通知する。これにより、端末３００は、予め、各送信ポイントに対する送受信タイミングの測定および設定を行うことができる。これにより、端末３００は、ユーザデータの送信に用いる送信ポイントが変更される際、変更先の送信ポイントとの同期のための遅延を発生させることなく、変更先の送信ポイントを利用することができる。
【００８１】
なお、本実施の形態において、端末３００は、ＣＳＩ−ＲＳを用いた受信電力（ＲＳＲＰ）測定を継続して行い、測定結果が報告条件を満たす場合に、報告条件を満たすＣＳＩ−ＲＳ候補（送信ポイント）の情報をマクロ基地局１００へ報告する場合について説明した（例えば、図８参照）。しかし、本実施の形態において、報告条件を満たすＣＳＩ−ＲＳ候補の報告は、これに限らず、次のようにしてもよい。以下、受信電力の報告方法１および２について説明する。
【００８２】
＜報告方法１＞
マクロ基地局１００は端末３００に対して、現在使用している送信ポイントからの信号の受信品質またはスループットが悪くなったと判断した場合に、受信電力の測定結果の報告要求を端末３００に通知する。報告要求には、測定方法または報告対象のCSI-RS番号を含めてもよい。端末３００はマクロ基地局１００から報告要求を受信した場合に、指定されたＣＳＩ−ＲＳ（指定が無い場合には全てのＣＳＩ−ＲＳ）の測定結果を報告する。これにより、端末３００は、送信ポイントの変更が必要になりそうになったときにのみＣＳＩ−ＲＳの受信電力測定及び報告を行うので、端末３００における消費電力の低減及び報告情報量の低減が可能となる。また、マクロ基地局１００は、各送信ポイントの混雑状況等から送信ポイントを変更したいタイミングで端末３００にＣＳＩ−ＲＳの受信測定結果を報告させることができる。また、端末３００は、報告条件を設定されると、CSI-RSを用いて測定した受信品質が得られるとすぐに第１の受信品質を基地局１００に送信するため、基地局１００はすぐに第２の情報を更新することができる。その結果、基地局１００は、端末３００にスケジューリングをする送信ポイントをより柔軟に切り替えることができる。
【００８３】
なお、端末３００は、本実施の形態と同様、報告要求を受信した場合に、報告条件を満たしたＣＳＩ−ＲＳ（送信ポイント）の情報（CSI-RS候補番号および測定結果）のみを報告してもよい。報告要求及び測定結果の報告は、ＲＲＣシグナリングでも実現可能である。ただし、報告要求及び測定結果の報告を、ＭＡＣまたはＰＨＹシグナリングにすることで、報告要求から測定結果の報告までの遅延の低減が可能となる。
【００８４】
＜報告方法２＞
端末３００は、CSI-RS候補リストがマクロ基地局１００から通知されると、ＣＳＩ−ＲＳの受信電力測定を行い、全てのＣＳＩ−ＲＳ（または指定されたＣＳＩ−ＲＳ）の測定結果を周期的にマクロ基地局１００へ報告する。この際、報告周期はマクロ基地局１００から別途通知される。これにより、マクロ基地局１００は、継続的に端末３００の状態（各送信ポイントからの受信品質）をモニタすることができる。
【００８５】
［実施の形態２］
Rel.10では、ＣＳＩ−ＲＳへの干渉低減を目的として、zeroTxPowerCSI-RS（非送信ＣＳＩ−ＲＳ）が設定（configure）される。本実施の形態では、非送信ＣＳＩ−ＲＳを用いたＣｏＭＰ運用を行う。
【００８６】
例えば、図１１は、各送信ポイントにおける１サブフレーム内のＣＳＩ−ＲＳのマッピングパターンの一例を示す。図１１では、送信ポイント１〜３に対して、Pattern 0〜2（図１０参照）がそれぞれ設定されている。図１１に示すように、送信ポイント１〜３にそれぞれ設定されたＣＳＩ−ＲＳのリソースを含むリソースが、zeroTxPowerCSI-RS（非送信ＣＳＩ−ＲＳ）のリソースに設定されている。図１１に示すように、非送信ＣＳＩ−ＲＳのリソースには、データ信号（ＰＤＳＣＨ）は配置されない。また、図１１に示すように、非送信ＣＳＩ−ＲＳのリソースでは、各送信ポイントから送信されるＣＳＩ−ＲＳが互いに異なるリソースにそれぞれ割り当てられている。また、Rel.10では、非送信ＣＳＩ−ＲＳのリソースは、所定の周期のタイミング（例えば、５ｍｓ周期）で設定される（図１１では図示せず）。
【００８７】
すなわち、図１１に示すように、非送信ＣＳＩ−ＲＳを構成するリソース群において、或る送信ポイントのＣＳＩ−ＲＳが割り当てられたリソースでは、当該送信ポイントのＣＳＩ−ＲＳのみが送信され、データ信号（ＰＤＳＣＨ）および他の送信ポイントのＣＳＩ−ＲＳが送信されない。例えば、図１１に示す送信ポイント１では、非送信ＣＳＩ−ＲＳのリソースのうち、送信ポイント１のＣＳＩ−ＲＳに割り当てられたリソースでＣＳＩ−ＲＳが送信される。一方、図１１に示す送信ポイント１では、非送信ＣＳＩ−ＲＳのリソースのうち、送信ポイント１のＣＳＩ−ＲＳに割り当てられたリソース以外のリソース（つまり、送信ポイント２および３のＣＳＩ−ＲＳに割り当てられたリソース）ではデータが送信されない。他の送信ポイント２および３についても同様である。このように、或る送信ポイントのＣＳＩ−ＲＳが割り当てられたリソースでは、他の送信ポイントから送信されるＣＳＩ−ＲＳおよびデータが存在しないので、ＣＳＩ−ＲＳに対する干渉が軽減される。
【００８８】
ここで、例えば、図１１に示す送信ポイント１に接続している端末は、送信ポイント１のＣＳＩ−ＲＳ（ＣＳＩ測定対象）のリソースでは、送信ポイント１から送信されるＣＳＩ−ＲＳを受信する。一方で、図１１に示す送信ポイント１に接続している端末は、非送信ＣＳＩ−ＲＳのリソースのうち、送信ポイント２（または送信ポイント３）のＣＳＩ−ＲＳのリソースでも、送信ポイント２（または送信ポイント３）から送信されるＣＳＩ−ＲＳを受信することが可能である。つまり、端末は、zeroTxPowerCSI-RS（非送信ＣＳＩ−ＲＳ）のリソースにおいて、ＣＳＩ測定対象のＣＳＩ−ＲＳのみでなく、他のＣＳＩ−ＲＳを受信することができる。
【００８９】
そこで、本実施の形態では、端末は、実施の形態１におけるCSI-RS候補リストの代わりに、非送信ＣＳＩ−ＲＳ（zeroTxPowerCSI-RS）のリソースを用いて、複数の基地局（送信ポイント）から送信されるＣＳＩ−ＲＳの受信電力を測定する。
【００９０】
以下、本実施の形態に係るマクロ基地局１００（図５）、ピコ基地局２００（図６）および端末３００（図７）について説明する。
【００９１】
［マクロ基地局１００の構成］
マクロ基地局１００において、制御部１０１は、実施の形態１の動作に加え、以下の処理を行う。ただし、制御部１０１は、CSI-RS候補リストを作成しない。
【００９２】
制御部１０１は、マクロ基地局１００がカバーするセル（マクロセル）内の送信ポイントで使用しているＣＳＩ−ＲＳのリソースを含むリソース群を、非送信ＣＳＩ−ＲＳ（zeroTxPowerCSI-RS）のリソースとして設定（configure）する。なお、制御部１０１は、制御対象端末３００の近傍の送信ポイントに設定されたＣＳＩ−ＲＳのリソースのみを含む非送信ＣＳＩ−ＲＳのリソースを設定してもよい。
【００９３】
ここで、非送信ＣＳＩ−ＲＳのリソース情報（zeroTxPowerCSI-RS情報）は、例えば、（１）ＣＳＩ−ＲＳの周期と時間オフセット（１つのsubframeConfig）、および、（２）サブフレーム内の時間・周波数リソース位置（１つまたは複数のresourceConfig）で表される。なお、Rel.10では、zeroTxPowerCSI-RSに対して、周期と時間オフセット（subframe offset）の組み合わせは１つのみ設定（configure）可能である。すなわち、マクロセル内の各送信ポイントでzeroTxPowerCSI-RSのサブフレームは共有される。
【００９４】
非送信ＣＳＩ−ＲＳのリソース情報は、ＲＲＣパラメータ（zeroTxPowerCSI-RS）で設定される。例えば、マクロ基地局１００は、図９および図１０のように予め設定されたCSI-RS configurationと物理リソースとのマッピング関係において、非送信ＣＳＩ−ＲＳに用いるCSI-RS configurationをビットマップで通知する。例えば、通知情報が［０  １  ０  ０  １］の場合、端末３００では、図１０に示すPattern0〜4のうち、Pattern 1およびPattern 4のリソースを用いたＣＳＩ−ＲＳが非送信ＣＳＩ−ＲＳとして設定される。
【００９５】
また、制御部１０１は、マクロ基地局１００がカバーするマクロセル内の各送信ポイントに設定されるＣＳＩ−ＲＳの周期を、非送信ＣＳＩ−ＲＳの周期の整数倍（Ｎ倍）に設定する。
【００９６】
また、制御部１０１は、非送信ＣＳＩ−ＲＳのリソースにおける受信電力測定において時間平均に用いるＣＳＩ−ＲＳの周期（受信電力測定周期）を設定する。
【００９７】
以上のように設定した非送信ＣＳＩ−ＲＳのリソース情報（zeroTxPowerCSI-RS情報）、および、受信電力測定周期は、送信部１０２を介して端末３００へ通知される。また、非送信ＣＳＩ−ＲＳのリソース情報、受信電力測定周期、および、各送信ポイントに設定されるＣＳＩ−ＲＳの周期（非送信ＣＳＩ−ＲＳの周期の整数倍）は、基地局間ＩＦ１０４を介して各送信ポイント（ピコ基地局２００）へ通知される。なお、マクロ基地局１００は、各送信ポイントに設定されるＣＳＩ−ＲＳの周期を表す情報として、上記Ｎの値のみを通知してもよい。
【００９８】
送信部１０２は、実施の形態１の動作に加え、以下の処理を行う。
【００９９】
送信部１０２は、制御部１０１で設定された非送信ＣＳＩ−ＲＳのリソースにはデータ信号（ＰＤＳＣＨ）を配置しない。また、送信部１０２は、非送信ＣＳＩ−ＲＳのリソースであっても、自機（マクロ基地局１００）のCSI-RS configurationで指定されているリソースである場合には、当該リソースでＣＳＩ−ＲＳを送信する。
【０１００】
［ピコ基地局２００の構成］
本実施の形態に係るピコ基地局２００において、送信部２０２は、実施の形態１の動作に加え、以下の処理を行う。送信部２０２は、マクロ基地局１００で設定された非送信ＣＳＩ−ＲＳのリソースにはデータ信号（ＰＤＳＣＨ）を配置しない。また、送信部２０２は、非送信ＣＳＩ−ＲＳのリソースであっても、自機（ピコ基地局２００）のCSI-RS configurationで指定されているリソースである場合には、当該リソースでＣＳＩ−ＲＳを送信する。
【０１０１】
［端末３００の構成］
受信部３０１は、実施の形態１の動作に加え、非送信ＣＳＩ−ＲＳのリソース情報、および、受信電力測定周期の情報を受信する。非送信ＣＳＩ−ＲＳのリソース情報は制御部３０２および測定部３０３に出力され、受信電力測定周期の情報は測定部３０３に出力される。
【０１０２】
制御部３０２は、実施の形態１の動作に加え、非送信ＣＳＩ−ＲＳのリソース情報に基づいて、受信電力測定の対象となるＣＳＩ−ＲＳのリソース情報を受信部３０１に出力する。
【０１０３】
測定部３０３は、実施の形態１の動作に加え、非送信ＣＳＩ−ＲＳのリソース情報、および、受信電力測定周期の情報に基づいて、ＣＳＩ−ＲＳを用いた受信電力測定を行う。例えば、測定部３０３は、非送信ＣＳＩ−ＲＳとして設定されたresourceConfigで指定される、各サブフレーム内の時間・周波数リソースにおいて何れかの送信ポイントから送信されるＣＳＩ−ＲＳを用いて、受信電力測定周期毎に受信電力を測定する。つまり、測定部３０３は、所定の周期のタイミング（subframeConfig）で設定される非送信ＣＳＩ−ＲＳのリソース群で複数の送信ポイントから送信されるＣＳＩ−ＲＳを用いて、各基地局に対する受信電力を測定する。
【０１０４】
送信部３０４は、実施の形態１の動作に加え、ＣＳＩ−ＲＳを用いて測定された受信電力の報告の際、所定の条件（報告条件）を満たしたＣＳＩ−ＲＳ（送信ポイント）の情報として、zeroTxPowerCSI-RSのresourceConfig番号（つまり、何番目のresource configurationの非送信ＣＳＩ−ＲＳのリソースであるかを示す情報）に加え、オフセットの情報を含める。
【０１０５】
［マクロ基地局１００および端末３００の動作］
図１２は、上述した非送信ＣＳＩ−ＲＳ（zeroTxPowerCSI-RS）の設定、各送信ポイントのＣＳＩ−ＲＳの設定、および、端末３００での受信電力測定周期の設定の一例を示す。
【０１０６】
図１２では、非送信ＣＳＩ−ＲＳのリソースとして、resourceConfig＝１、かつ、subframe Config＝（周期＝５ｍｓ、オフセット＝０ｍｓ）が設定されている。すなわち、図１２に示すように、非送信ＣＳＩ−ＲＳのリソースは、５ｍｓ毎に設定される。
【０１０７】
また、図１２では、送信ポイント１のＣＳＩ−ＲＳのリソースとして、resourceConfig＝１、かつ、周期＝１０ｍｓ、オフセット＝０ｍｓが設定されている。同様に、図１２では、送信ポイント２のＣＳＩ−ＲＳのリソースとして、resourceConfig＝１、かつ、周期＝１０ｍｓ、オフセット＝４ｍｓが設定されている。つまり、各送信ポイントに設定されるＣＳＩ−ＲＳの周期（１０ｍｓ）は、非送信ＣＳＩ−ＲＳの周期（５ｍｓ）の２倍（Ｎ＝２）である。
【０１０８】
また、図１２では、端末３００での受信電力測定周期として、１０ｍｓが設定されている。
【０１０９】
そこで、端末３００の測定部３０３は、オフセット＝０ｍｓ（例えばサブフレーム０）から１０ｍｓの周期で、送信ポイント１から送信されるＣＳＩ−ＲＳを用いて受信電力測定を行う。また、測定部３０３は、オフセット＝４ｍｓ（例えばサブフレーム４）から１０ｍｓの周期で、送信ポイント２から送信されるＣＳＩ−ＲＳを用いて受信電力測定を行う。つまり、端末３００は、図１２において、サブフレーム０（オフセット＝０ｍｓ）から１０ｍｓ周期で取り出したＣＳＩ−ＲＳを用いた受信電力測定と、サブフレーム４（オフセット＝４ｍｓ）から１０ｍｓ周期で取り出したＣＳＩ−ＲＳを用いた受信電力測定との２種類の受信電力測定を行い、それぞれ時間平均を行う。
【０１１０】
このように、端末３００は、非送信ＣＳＩ−ＲＳが設定された各リソースで、何れかの送信ポイントから送信されたＣＳＩ−ＲＳを受信して、受信電力を測定する。つまり、本実施の形態では、非送信ＣＳＩ−ＲＳ（zeroTxPowerCSI-RS）のリソース情報を、実施の形態１で用いたCSI-RS候補リスト（各送信ポイントに設定されるＣＳＩ−ＲＳの情報）の代わりに用いる。
【０１１１】
これにより、実施の形態１と比較して、CSI-RS候補リストの通知が不要となるので、通知情報の情報量を低減できる。すなわち、Rel.10と比較して、新たな通知情報（ＩＥ：Information Element）の設定が不要となり、システムのcomplexityを低減することができ、かつ、基地局および端末のテスト工数を低減することができる。
【０１１２】
さらに、非送信ＣＳＩ−ＲＳのリソースにおいて、或る送信ポイントのＣＳＩ−ＲＳが割り当てられたリソースでは、当該送信ポイントのＣＳＩ−ＲＳ以外の信号が送信されないので、端末３００は、ＣＳＩ−ＲＳを用いた受信電力測定を高精度で行うことができる。
【０１１３】
また、図１１に示すように、各送信ポイントが使用しているＣＳＩ−ＲＳのリソースでは、データ信号（ＰＤＳＣＨ）が非送信となる。このため、マクロセル内で端末３００に対する送信ポイントが切り替わる毎に、リソースブロック内のデータ信号（ＰＤＳＣＨ）の配置パターンを変更する必要がないので、端末３００のcomplexityを低減することができる。
【０１１４】
なお、マクロ基地局１００から端末３００への通知情報の情報量低減のために、非送信ＣＳＩ−ＲＳ（zero-TxPowerCSI-RS）の周期、および、subframe offsetは、１つのみ設定されることが望ましい。このとき、仮に、非送信ＣＳＩ−ＲＳ（zero-TxPowerCSI-RS）のリソースを各送信ポイントのＣＳＩ−ＲＳの測定対象リソースとすると、セル内の異なる送信ポイントのＣＳＩ−ＲＳはすべて同一サブフレームで送信されることになる。この場合、データ信号（ＰＤＳＣＨ）向けリソースが極端に少なくなり、スループット劣化を招く恐れがある。
【０１１５】
これに対して、本実施の形態では、マクロ基地局１００は、各送信ポイントのＣＳＩ−ＲＳの周期を非送信ＣＳＩ−ＲＳ（zeroTxPowerCSI-RS）の周期の整数倍とし、かつ、送信ポイント間で異なるオフセットを設定する。さらに、マクロ基地局１００は、非送信ＣＳＩ−ＲＳ（zero-TxPowerCSI-RS）のリソース情報に加えて、受信電力測定に用いるサブフレームの周期を端末３００に通知する。そして、端末３００は通知された受信電力測定の周期で受信電力を測定する。これにより、各送信ポイントのＣＳＩ−ＲＳを分散したサブフレームで送信することができる。これにより、各送信ポイントからのＣＳＩ−ＲＳが或るサブフレームのみに集中することを防ぎ、データスループットの劣化を抑えることができる。
【０１１６】
また、端末３００がマクロ基地局１００に受信電力の測定結果を報告する際、報告条件を満たしたＣＳＩ−ＲＳのresource config番号に加えて、受信電力の測定に用いたサブフレームオフセットの情報も報告する。これにより、マクロ基地局１００は、報告条件を満たしたＣＳＩ−ＲＳがどの送信ポイントのＣＳＩ−ＲＳであるかを判断でき、端末３００に対してＣＳＩ測定・報告対象のＣＳＩ−ＲＳを適切に設定できる。
【０１１７】
このようにして、本実施の形態によれば、ＣＳＩ報告のオーバーヘッドを低減しつつ、適切な送信ポイントを選択することができる。さらに、本実施の形態によれば、実施の形態１と比較して、ＣＳＩ測定・報告に要する通知情報を低減することができる。
【０１１８】
なお、本実施の形態の動作と実施の形態１の動作とを状況に応じて切り替えてもよい。この場合、マクロ基地局１００は、非送信ＣＳＩ−ＲＳ（zeroTxPowerCSI-RS）をCSI-RS候補リストとして代用するか（本実施の形態を適用するか）、CSI-RS候補リストを新たに通知するか（実施の形態１を適用するか）、を選択し、端末３００へ通知してもよい。例えば、通知情報の情報量を極力低減したい場合にはzeroTxPowerCSI-RSをCSI-RS候補リストとして代用する等、柔軟な運用が可能となる。
【０１１９】
また、本実施の形態では、非送信ＣＳＩ−ＲＳ（zeroTxPowerCSI-RS）のリソースを、受信電力測定対象のＣＳＩ−ＲＳのリソース（つまり、CSI-RS候補リスト）として設定する場合について説明した。しかし、本実施の形態において、非送信ＣＳＩ−ＲＳ（zeroTxPowerCSI-RS）のリソースの一部のみを、受信電力測定対象のリソースとして設定してもよい。この場合、マクロ基地局１００は、非送信ＣＳＩ−ＲＳ（zeroTxPowerCSI-RS）のリソースのうち、どのresource configを受信電力測定対象とするかを示す情報を端末３００に通知する。例えば、非送信CSI-RSリソースとして隣接セル(異なるセルＩＤ)で使用しているＣＳＩ−ＲＳのリソースを含める場合、または、端末３００の近傍の送信ポイントで使用しているＣＳＩ−ＲＳのリソースのみを測定対象とする場合等、非送信ＣＳＩ−ＲＳ（zeroTxPowerCSI-RS）のリソースと、受信電力測定対象のＣＳＩ−ＲＳのリソースとが異なる場合に効果的である。
【０１２０】
また、本実施の形態では、非送信ＣＳＩ−ＲＳ（zeroTxPowerCSI-RS）として、送信周期とサブフレームオフセットとからなる１つの情報のみが設定される場合について説明した。しかし、非送信ＣＳＩ−ＲＳ（zeroTxPowerCSI-RS）の各リソースに対して、送信周期とサブフレームオフセットとからなる情報を通知してもよい。これにより、非送信ＣＳＩ−ＲＳを複数のサブフレームに分散して設定することが可能となり、１つのサブフレームでＰＤＳＣＨ向けのリソース量が減少することを防ぐことができる。
【０１２１】
［実施の形態３］
本実施の形態では、マクロセル間（異なるセルＩＤのセル間）でハンドオーバした後における送信ポイントの選択方法について説明する。
【０１２２】
以下、本実施の形態に係るマクロ基地局１００（図５）、ピコ基地局２００（図６）および端末３００（図７）について説明する。
【０１２３】
［マクロ基地局１００の構成］
マクロ基地局１００において、制御部１０１は、実施の形態１の動作（マクロセル内の送信ポイント選択に関する動作）に加え、以下の処理（他セル内での送信ポイント選択に関する動作）を行う。
【０１２４】
制御部１０１は、他セル（隣接セル。つまり、マクロ基地局１００のカバーエリア内の複数の送信ポイントとは異なるセルＩＤを持つ送信ポイント）を測定対象とするmeasurement（ＣＲＳを用いた受信電力測定）の設定を端末３００毎に決定する。measurementの設定（measurement configuration：measConfig）としては、測定対象のキャリア周波数、セルＩＤの情報、測定方法（ＲＳＲＰ、ＲＳＲＱ等）、measurement reportの報告条件等が挙げられる。measurementの設定（measConfig）は、送信部１０２を介して各端末３００へ通知される。
【０１２５】
また、制御部１０１は、上記measurementの対象とした他セル内の各送信ポイント（つまり、measurementの対象とした他セルと同一のセルＩＤを持つ複数の送信ポイント）で使用されているＣＳＩ−ＲＳのconfigurationを、他セルの「CSI-RS候補リスト」として生成する。他セルの「CSI-RS候補リスト」は送信部１０２を介して各端末３００へ通知される。なお、制御部１０１は、設定対象端末３００の近傍に位置する他セルの送信ポイントで使用されているＣＳＩ−ＲＳのみを他セルの「CSI-RS候補リスト」に含めて、受信電力の測定対象として設定してもよい。
【０１２６】
また、制御部１０１は、受信部１０３または基地局間ＩＦ１０４を介して受信する各端末３００からの測定結果の報告（measurement report。つまり、ＣＲＳを用いた受信電力測定結果）に基づいて、他セルへのハンドオーバを行うか否かを判断する。制御部１０１は、他セルへのハンドオーバを行う場合、ハンドオーバの実施に必要な情報を基地局間ＩＦ１０４に出力する。
【０１２７】
また、制御部１０１は、受信部１０３または基地局間ＩＦ１０４を介して受信する各端末３００からの信号（受信信号）に含まれる、他セルのＣＳＩ−ＲＳに関する情報（ＣＳＩ−ＲＳを用いた受信電力測定結果の報告を行うか否かの基準となる所定の条件（ＣＳＩ−ＲＳを用いた受信電力測定結果の報告条件）を満たしたＣＳＩ−ＲＳリソースの識別子、および、受信電力測定結果）を用いて、他セルのＣＳＩ測定・報告の対象とするＣＳＩ−ＲＳのconfiguration（すなわち、送信ポイント）を決定する。制御部１０１は、決定したＣＳＩ−ＲＳのconfigurationを、他セルの「CSI-RS測定リスト」とする。
【０１２８】
なお、measurement対象である他セルと同一のセルＩＤを持つ複数の送信ポイントから送信されるＣＳＩ−ＲＳは、送信ポイント毎に異なるリソースで送信され、ＣＲＳは、当該他セルのセルＩＤに基づいて決められるリソースで送信される。
【０１２９】
基地局間ＩＦ１０４は、制御部１０１から入力されるハンドオーバの情報を他の基地局へ通知し、他の基地局との間でハンドオーバに必要な情報のやり取りを行う。
【０１３０】
［端末３００の構成］
端末３００において、測定部３０３は、受信部３０１を介して受信したmeasurementの設定（measConfig）に含まれる周波数、セルＩＤ等に従って、ＣＲＳを用いて受信電力を測定する。ＣＲＳを用いた受信電力の測定方法は、measurementの設定（measConfig）で指定された測定方法（ＲＳＲＰ、ＲＳＲＱ等）である。また、測定部３０３は、ＣＲＳによる受信電力測定結果が、measurementの設定（measConfig）に含まれる報告条件を満たすか否かを判断する。ＣＲＳによる受信電力測定結果が報告条件を満たす場合、測定部３０３は、measurement対象である他のセルの情報（例えば、周波数、セルＩＤ等）、および、測定結果（ＣＲＳを用いた受信電力測定結果）を、送信部３０４を介してマクロ基地局１００またはピコ基地局２００へ送信する。
【０１３１】
また、測定部３０３は、他のセルのＣＲＳによる受信電力測定結果がmeasurementの報告条件を満たす場合、さらに、当該他のセルのCSI-RS候補リストに示される複数のＣＳＩ−ＲＳを用いて、複数のＣＳＩ−ＲＳのそれぞれに対応する受信電力を測定する。そして、測定部３０３は、測定結果（ＣＳＩ−ＲＳ番号、測定値等）を送信部３０４を介してマクロ基地局１００またはピコ基地局２００へ送信する。つまり、測定部３０３は、マクロ基地局１００のカバーエリア外の他のマクロ基地局（他のセル）からのＣＲＳを用いて測定された受信電力がmeasurementの報告条件を満たした場合、当該他のマクロ基地局のカバーエリア内の送信ポイント（他の基地局、および、他のマクロ基地局のカバーエリア内に配置された複数のピコ基地局）からのＣＳＩ−ＲＳを用いて、他の基地局の各送信ポイントに対する受信電力を測定する。ここで、前述したように、ＣＳＩ−ＲＳは送信ポイント毎に異なるリソースで送信される。また、ＣＲＳは、マクロ基地局１００のカバーエリア内の送信ポイントと、他のマクロ基地局のカバーエリア内の送信ポイントとで異なるリソースが使用され、各カバーエリア内の送信ポイントにおいて同一リソースで送信される（例えば図１参照）。なお、端末３００は、CSI-RS候補リストに示されるＣＳＩ−ＲＳのうち、測定値が上位（受信電力がより高い）ＣＳＩ−ＲＳの測定結果のみを報告してもよく、測定値が予め設定された基準値を満たすＣＳＩ−ＲＳの測定結果のみを報告してもよい。このようにすることで、報告するCSI-RSの測定結果の数を削減することができるため、報告のためのメッセージサイズを小さくすることができる。
【０１３２】
［マクロ基地局１００および端末３００の動作］
以上の構成を有するマクロ基地局１００及び端末３００の動作について説明する。以下では、端末３００における、他セルの送信ポイントのＣＳＩ−ＲＳを用いた受信電力測定結果の報告方法１および２について説明する。
【０１３３】
＜報告方法１（図１３）＞
図１３は、マクロ基地局１００（ｅＮＢと表す）および端末３００（ＵＥと表す）の処理の流れを示すフロー図である。
【０１３４】
図１３において、ＳＴ２０１では、マクロ基地局１００は、制御部１０１で設定されたmeasurement configuration（ＣＲＳを用いる受信電力測定のパラメータ（測定対象の他のセルのセルＩＤ、測定方法等））を端末３００毎に設定し、通知する。この際、マクロ基地局１００は、測定対象の他のセルについてのCSI-RS候補リスト（other cell CSI-RS candidate lists）も端末３００へ通知する。
【０１３５】
端末３００の測定部３０３は、ＳＴ２０１においてmeasurement configurationを受け取ると、ＣＲＳを用いた受信電力（例えば、ＲＳＲＰ）測定を行う。また、測定部３０３は、ＣＲＳを用いた測定結果が報告条件を満たすか否かを判断する。例えば、報告条件として、ＣＲＳを用いた測定結果が予め設定された閾値Th_crsを上回るか否かが判断される。ＣＲＳを用いた測定結果（図１３では、Cell id 1のセルの測定結果）が閾値Th_crsを上回ると、測定部３０３は、当該セル（Cell id 1のセル）のCSI-RS候補リストに基づいて、ＣＳＩ−ＲＳを用いた受信電力（例えば、ＲＳＲＰ）測定を行う。
【０１３６】
ＣＳＩ−ＲＳを用いた受信電力（例えば、ＲＳＲＰ）測定が完了すると、ＳＴ２０２では、端末３００は、ＣＲＳを用いた受信電力測定結果（measurementの報告条件を満たすcell id、測定値等）、および、ＣＳＩ−ＲＳを用いた受信電力測定結果（CSI-RS id、測定値等）を含むmeasurement reportをマクロ基地局１００に報告する。
【０１３７】
ＳＴ２０３では、マクロ基地局１００は、ＳＴ２０２において端末３００から受け取ったmeasurement reportに基づいて、端末３００にハンドオーバさせるか否かを判断する。マクロ基地局１００は、端末３００にハンドオーバさせる場合には、ハンドオーバ先の基地局との間でハンドオーバに必要な情報（端末情報、設定情報等）のやり取りを行うとともに、端末３００に対して、ハンドオーバコマンド（Handover command）としてハンドオーバ指示およびハンドオーバ先の設定情報を通知する。
【０１３８】
ＳＴ２０４では、端末３００は、ＳＴ２０３においてマクロ基地局１００から受け取った設定情報に基づいて、ハンドオーバ先の基地局へＲＡＣＨを送信する。
【０１３９】
ＳＴ２０５では、端末３００のハンドオーバ先の基地局は、ＳＴ２０４において端末３００からのＲＡＣＨを検出すると、端末３００に対してRACH responseを送信する。
【０１４０】
ＳＴ２０６では、端末３００は、ＳＴ２０５においてハンドオーバ先の基地局からのRACH responseを受け取ると、RACH responseで指示された上りリソースでハンドオーバ完了メッセージ（HO complete）を送信する。
【０１４１】
このように、端末３００は、ＣＲＳを用いた受信電力測定結果が報告条件を満たした後に、CSI-RS候補リストに基づくＣＳＩ−ＲＳを用いた受信電力測定を開始する。つまり、端末３００は、他のセル（ここではCell id 1のセル。送信ポイント）、および、当該セルと同一のセルＩＤを持つ複数の送信ポイントからの複数のＣＳＩ−ＲＳを用いて測定した、複数のＣＳＩ−ＲＳのそれぞれに対する受信電力（ＲＳＲＰ）を、measurementの報告条件を満たしたＣＲＳの受信電力測定結果を報告するタイミングで報告する。このため、本実施の形態では、ＣＳＩ−ＲＳを用いた受信電力測定を常に行う場合と比較して、端末３００での消費電力を低減することができる。
【０１４２】
また、端末３００は、他のマクロ基地局のセル内の送信ポイントに対するＣＳＩ−ＲＳを用いた受信電力測定結果を、measurementの報告条件を満たした受信電力測定結果（ＣＲＳを用いた受信電力測定結果）を報告するタイミングで報告する。つまり、端末３００は、ＣＲＳを用いた受信電力測定結果と、ＣＳＩ−ＲＳを用いた受信電力測定結果とを同一メッセージ（図１３ではmeasurement report）としてマクロ基地局１００に報告する。これにより、各測定結果の報告に必要なヘッダ、ＣＲＣ、または、当該メッセージの送信に対するＡＣＫ／ＮＡＣＫ等のオーバーヘッドを低減することができる。
【０１４３】
なお、ハンドオーバ先となり得る他のマクロ基地局でのＣＳＩ測定・報告対象を示すCSI-RS測定リスト（図１３では図示せず）は、ハンドオーバコマンド（図１３に示すＳＴ２０３）に含めてもよい。この場合、ハンドオーバ完了後にCSI-RS測定リストを追加で通知する必要がなくなり、遅延をさらに低減できる。
【０１４４】
＜報告方法２＞
図１４は、マクロ基地局１００（ｅＮＢと表す）および端末３００（ＵＥと表す）の処理の流れを示すフロー図である。なお、図１４において、報告方法１（図１３）と同一の処理には同一の符号を付し、その説明は重複するので省略する。
【０１４５】
図１４において、ＳＴ３０１では、ＣＲＳを用いた受信電力測定結果（図１４では、Cell id 1のセルの測定結果）が予め設定された閾値Th_crsを上回ると、測定部３０３は、当該セルのCSI-RS候補リストに基づいて、ＣＳＩ−ＲＳを用いた受信電力（例えば、ＲＳＲＰ）測定を行うとともに、ＣＲＳを用いた受信電力測定結果を含むmeasurement reportをマクロ基地局１００に報告する。
【０１４６】
ＳＴ３０２では、端末３００は、ＳＴ２０５においてハンドオーバ先の基地局からのRACH responseを受け取ると、RACH responseで指示された上りリソースでハンドオーバ完了メッセージ（HO complete）を送信する。ここで、ハンドオーバ完了メッセージの中には、ハンドオーバ先の基地局（他のマクロ基地局）内の送信ポイントからのＣＳＩ−ＲＳを用いた受信電力測定結果が含まれる。つまり、端末３００は、他のマクロ基地局のカバーエリア内の送信ポイントに対するＣＳＩ−ＲＳを用いた受信電力測定結果を、マクロ基地局１００から他のマクロ基地局へのハンドオーバ完了メッセージを送信するタイミングで報告する。
【０１４７】
すなわち、報告方法２では、ＣＳＩ−ＲＳを用いた受信電力測定の完了を待たずに、ＣＲＳを用いた受信電力測定結果（measurement report）がマクロ基地局１００へ報告される点が報告方法１と異なる。すなわち、端末３００は、他のセル（ここではCell id 1のセル。送信ポイント）、および、当該他のセルと同一のセルＩＤを持つ複数の送信ポイントからの複数のＣＳＩ−ＲＳを用いて測定した、複数のＣＳＩ−ＲＳのそれぞれに対する受信電力（ＲＳＲＰ）を、当該他のセルへのハンドオーバ完了メッセージを報告するタイミングで送信する。これにより、ＣＲＳを用いた受信電力測定結果（measurement report）の遅延が低減されるので、マクロ基地局１００は、報告方法１と比較して、ハンドオーバの判断をより早いタイミングで行うことができる。これは、特に伝搬路の時間変動が早い場合に効果的である。
【０１４８】
また、報告方法１ではmeasurement reportの中にＣＳＩ−ＲＳを用いた受信電力測定結果を含ませたのに対して（図１３に示すＳＴ２０２）、報告方法２ではハンドオーバ完了メッセージの中にＣＳＩ−ＲＳを用いた受信電力測定結果を含ませた（図１４に示すＳＴ３０２）。つまり、報告方法２では、報告方法１と比較して、ＣＳＩ−ＲＳを用いた受信電力測定結果の報告は、遅いタイミングとなる。しかし、ＣＳＩ−ＲＳを用いた受信電力測定結果は、ハンドオーバ先のセルでの送信ポイントの選択に用いられる。つまり、ＣＳＩ−ＲＳを用いた受信電力測定結果は、ハンドオーバ完了後に使用される。このため、ＣＳＩ−ＲＳを用いた受信電力測定結果がハンドオーバ完了メッセージに含まれることは問題にならない。さらに、ＣＲＳを用いた受信電力測定結果が報告条件を満たしたからといって必ずしも端末３００がハンドオーバするわけではない。よって、報告方法１では、ハンドオーバしなかった場合にはＣＳＩ−ＲＳを用いた受信電力測定結果の報告が無駄になるのに対して、報告方法２では、ハンドオーバ完了後にＣＳＩ−ＲＳを用いた受信電力測定結果が報告されるので、当該報告が無駄になることはない。
【０１４９】
以上、他セルの送信ポイントのＣＳＩ−ＲＳを用いた受信電力測定結果の報告方法１および２について説明した。
【０１５０】
このようにして、マクロ基地局１００は、他セルの送信ポイントが使用しているＣＳＩ−ＲＳの情報（CSI-RS候補リスト）を端末３００に通知する。また、端末３００は、他セルの送信ポイントが使用しているＣＳＩ−ＲＳの受信電力を測定し、マクロ基地局１００へ報告する。これにより、マクロ基地局１００は、端末３００が他セルへハンドオーバした後のデータ送信に用いるべき適切な送信ポイントを、遅延を低減しつつ選択することができる。すなわち、本実施の形態では、ハンドオーバが完了してからCSI-RS候補リストを通知して測定結果を報告させる場合と比較して、ハンドオーバ後のデータ送信開始までの遅延を低減できる。
【０１５１】
［実施の形態４］
Rel.10では、単位バンド（Component Carrier：ＣＣ）を幾つか束ねた帯域を用いた通信、所謂Carrier aggregation（ＣＡ）がサポートされる。「単位バンド」は、例えば、最大２０ＭＨｚの幅を持つ帯域であって、通信帯域の基本単位として定義される。また、Rel.11では、下りリンク向けにExtension carrier（non-backward compatible carrier）が検討されている。Extension carrierでは、ＤＭＲＳのみがサポートされ、オーバーヘッド低減のためにＣＲＳは送信されない（例えば、「3GPP TSG RAN WG1 meeting, R1-100359, Jan. 2010」参照)。すなわち、Extension carrierでは、ＤＭＲＳのみを用いた運用により高効率の伝送が可能となる。
【０１５２】
なお、Extension carrierにはＣＳＩ−ＲＳは配置される。すなわち、Extension carrierには、ＣＳＩ−ＲＳが配置され、かつ、ＣＳＩ−ＲＳとは異なるＣＲＳが配置されない。
【０１５３】
本実施の形態では、Carrier aggregation時に、Extension carrier等のＣＲＳが送信されないComponent Carrier（ＣＣ）を用いるシステムを想定する。つまり、端末は複数のＣＣを用いて通信する。
【０１５４】
なお、本実施の形態は、実施の形態１〜３で想定されるヘテロジニアスネットワークに適用されてもよく、マクロ基地局のみで構成されるホモネットワークに適用されてもよい。以下では、本実施の形態をホモネットワークに適用する場合について説明する（図１５参照）。
【０１５５】
以下、本実施の形態に係るマクロ基地局１００（図５）および端末３００（図７）について説明する。
【０１５６】
［マクロ基地局１００の構成］
マクロ基地局１００において、制御部１０１は、実施の形態１の動作に加え、以下の処理を行う。
【０１５７】
制御部１０１は、端末３００に対して現在使用しているＣＣ以外の他のＣＣを測定対象とするmeasurement configurationを設定する。ここで、測定対象となるＣＣが通常のＣＣ（ＣＲＳを含むＣＣ）の場合には、制御部１０１は、当該ＣＣのキャリア周波数、セルＩＤ等を含むmeasurement configurationを設定する。一方、測定対象となるＣＣがExtension carrier（ＣＲＳを含まないＣＣ）の場合には、制御部１０１は、Extension carrier向けの設定情報（キャリア周波数、および、CSI-RS候補リスト）を、送信部１０２を介して端末３００へ通知する。
【０１５８】
また、制御部１０１は、受信部１０３を介して受信した、端末３００からの信号に基づいて、端末３００に対してＣＣを追加するか否かを判断する。端末３００からの信号には、通常のＣＣ（ＣＲＳを含むＣＣ）向けのmeasurement report、または、ＣＳＩ−ＲＳを用いた受信電力測定結果が含まれる。つまり、制御部１０１は、追加されるＣＣが通常のＣＣ（ＣＲＳを含むＣＣ）の場合には、ＣＲＳを用いた受信電力測定結果に基づいて、ＣＣの追加を判断する。一方、制御部１０１は、追加されるＣＣがExtension carrierの場合、ＣＳＩ−ＲＳを用いた受信電力測定結果に基づいて、ＣＣの追加を判断する。制御部１０１は、端末３００に対してＣＣを追加する場合、端末３００にＣＣ追加指示を通知する。
【０１５９】
［端末３００の構成］
端末３００において、受信部３０１は、制御部３０２から入力されるＣＣのキャリア周波数等の設定情報に従って、端末３００に設定されたＣＣからデータを抽出する。
【０１６０】
制御部３０２は、受信部３０１を介してマクロ基地局１００からＣＣ追加指示を受け取ると、追加するＣＣのキャリア周波数等の設定情報を受信部３０１に出力する。
【０１６１】
測定部３０３は、受信部３０１を介してマクロ基地局１００からmeasurement configurationを受け取ると、measurement configurationに含まれる通常のＣＣ向けの設定情報（キャリア周波数、セルＩＤ等）に基づいて、ＣＲＳを用いた受信電力測定を行う。測定された受信電力の測定結果が、マクロ基地局１００から通知される報告条件を満たす場合、測定結果（通常のＣＣ向けのmeasurement report）は送信部３０４を介してマクロ基地局１００へ送信される。
【０１６２】
一方、測定部３０３は、受信部３０１を介してマクロ基地局１００からExtension carrier向けの設定情報を受け取ると、設定情報に含まれるCSI-RS候補リストに基づいて、設定情報で指示されたキャリア周波数において、ＣＳＩ−ＲＳを用いた受信電力測定を行う。測定された受信電力の測定結果が、マクロ基地局１００から通知される報告条件を満たす場合、測定結果（ＣＳＩ−ＲＳを用いた受信電力測定結果）は送信部３０４を介してマクロ基地局１００へ送信される。
【０１６３】
このように、本実施の形態では、端末３００に対してExtension carrier（ＣＲＳが配置されないＣＣ）が新たに追加される際、端末３００において、測定部３０３が、ＣＲＳが配置されないＣＣの周波数において、マクロ基地局１００から送信されるＣＳＩ−ＲＳを用いて受信電力を測定し、送信部３０４が、測定部３０３で測定されたＣＳＩ−ＲＳを用いた受信電力測定結果が所定の条件を満たす場合、当該受信電力測定結果をマクロ基地局１００へ報告する。つまり、端末３００は、ＣＲＳが配置されていないExtension carrierに対して、ＣＳＩ−ＲＳを用いた受信電力測定を行い、測定結果をマクロ基地局１００へ報告（つまり、ＣＳＩ−ＲＳベースの受信品質報告）する。こうすることで、Carrier aggregation時に、ＣＲＳが配置されていないExtension carrierを用いる場合でも、マクロ基地局１００は、伝搬路状態が良好なExtension carrierを選択して、端末３００に設定することができる。
【０１６４】
なお、Component carrierは、キャリア周波数およびセルＩＤにより定義されるセルと同義なものと見なすこともできる。また、Carrier aggregation時には、端末毎に１つのPrimary Component Carrier（ＰＣＣまたはＰＣｅｌｌ（Primary Cell）と呼ばれる）、および、１つまたは複数のSecondary Component Carrier（ＳＣＣまたはＳＣｅｌｌ（Secondary Cell）と呼ばれる）が設定される。例えば、ＰＣＣ（ＰＣｅｌｌ）は、報知情報（例えば、ＳＩＢ２（System Information Block type2））を送信している単位バンドである。
【０１６５】
また、Extension carrierに限らず、ＣＲＳが配置されず、ＣＳＩ−ＲＳが配置されるComponent carrierであれば本発明を適用することができる。
【０１６６】
また、本実施の形態において、ヘテロジニアスネットワークが適用される場合には、端末３００は、端末３００に対してExtension carrier（ＣＲＳが配置されないＣＣ）が新たに追加される際、ＣＲＳが配置されないＣＣの周波数において、複数の送信ポイントから送信される複数のＣＳＩ−ＲＳを用いて、複数のＣＳＩ−ＲＳのそれぞれの受信電力を測定し、所定の条件を満たす受信電力測定結果をマクロ基地局１００へ報告すればよい。
【０１６７】
［実施の形態５］
本実施の形態では、各端末の上りリンクにおける受信基地局（または受信ポイント（reception point：ＲＰ）と呼ぶ)を、下りリンクにおける送信基地局（つまり、送信ポイント（ＴＰ））とは別に選択する。なお、各端末に対して選択される受信ポイントは１つであっても複数であってもよい。
【０１６８】
図１６は、本実施の形態におけるＣｏＭＰの運用例を示す。図１６に示す端末に対して、下りリンクでは、ＲＳＲＰ（受信電力）が所定の閾値を上回った３つの送信ポイント＃１，＃２，＃３から信号が送信されている。
【０１６９】
一方、図１６に示す端末に対して、上りリンクでは、パスロス（path loss。受信ポイントと端末との間の伝搬減衰量）が所定の閾値を下回った１つの受信ポイント＃３で端末から送信される信号が受信されている。この際、図１６に示す端末は、受信ポイント＃３で十分な受信品質で受信できるような送信電力で信号を送信する。例えば、図１６に示す端末は、近傍の受信ポイント＃３で受信可能なできるだけ低い送信電力で信号を送信する。例えば、端末は、次式（１）で表される送信電力制御（ＬＴＥまたはＬＴＥ−Ａの送信電力制御）における係数ＰＬ（パスロス）の算出時には、受信ポイント＃３からの信号を用いて測定されたＲＳＲＰを用いる。なお、ＲＳＲＰは実施の形態１と同様にＣＳＩ−ＲＳを用いて測定される。
【数１】
0006026415.tif 000002
【０１７０】
なお、式（１）において、PはＰＵＳＣＨ（データ）の送信電力を示し、PMAXは端末で許容される送信電力の最大値を示し、Mは送信帯域幅を示し、P0はセル毎または端末毎に設定される値を示し、αは１以下の係数を示し、ΔTFは変調方式などによって変わる値を示し、fは送信電力制御コマンドによる制御値を示す。また、referenceSignalPowerは、パスロス算出の基準となる受信ポイント（以下、パスロスリファレンスとなる受信ポイント）での送信電力を示す。つまり、パスロス算出の基準となる受信ポイントでの送信電力と、端末でのＲＳＲＰの平均値（higher layer filtered RSRP）との差が、パスロス（受信ポイントと端末との間の伝搬減衰量）として算出される。
【０１７１】
ここで、基地局が端末からの信号を正常に受信するためには、基地局と端末との間で受信ポイントの認識が同じである必要がある。このため、基地局は、端末が送信電力制御の際のパスロス（ＰＬ）算出に用いる受信ポイント（パスロスリファレンスとなる受信ポイント）の情報を端末に通知する必要がある。ここで、パスロスはＣＳＩ−ＲＳを用いて測定されるＲＳＲＰに基づいて算出される。このため、基地局は、パスロス算出の際、ＣＳＩ−ＲＳの情報（リソース、タイミングなど）を端末に通知する必要がある。よって、端末の移動などにより頻繁に受信ポイントが変わる場合には、受信ポイントの情報の通知にかかるオーバーヘッドが膨大になる。
【０１７２】
また、端末において高精度なパスロスを得るためには、十分長い平均化が必要である。このため、受信ポイントの変更の度にＣＳＩ−ＲＳの設定情報が通知されるのでは、新たな受信ポイントからのＣＳＩ−ＲＳを用いた高精度なパスロスの算出において遅延が生じてしまう。
【０１７３】
そこで、本実施の形態では、上記実施の形態において下りリンクで用いていたCSI-RS候補リストを上りリンクにおける受信ポイント（ＲＰ）の選択にも使用する。
【０１７４】
以下、本実施の形態に係るマクロ基地局１００（図５）、ピコ基地局２００（図６）および端末３００（図７）について説明する。
【０１７５】
［マクロ基地局１００の構成］
マクロ基地局１００において、制御部１０１は、実施の形態１の動作（送信ポイント選択に関する動作）に加え、以下の処理（受信ポイント選択に関する動作）を行う。
【０１７６】
制御部１０１は、端末３００がＣＳＩ−ＲＳを用いて測定する受信電力（ＲＳＲＰ）の報告を行うか否かの基準である所定の条件（以下、報告条件という）として、実施の形態１で説明した下りリンクの送信ポイント選択向けの報告条件に加え、上りリンクの受信ポイント選択向けの報告条件を設定する。設定される報告条件は、例えば、CSI-RS候補リストに含めて端末３００へ通知される。
【０１７７】
つまり、CSI-RS候補リスト内において、ＣＳＩ−ＲＳを用いて測定されるＲＳＲＰ（受信電力）の報告条件として、下りリンクにおける送信ポイント（ＴＰ）選択用の報告条件、及び、上りリンクにおける受信ポイント（ＲＰ）選択用の報告条件の２種類が設定される。例えば、下りリンク（ＤＬ）向けの報告条件として、ＲＳＲＰが所定値を上回る場合（送信ポイントを追加する条件：ＴＰ追加条件）、又は、ＲＳＲＰが所定値を下回る場合（送信ポイントを削除する条件：ＴＰ削除条件）等がある。また、上りリンク（ＵＬ）向けの報告条件として、パスロスが所定値を下回る場合（受信ポイントを追加する条件：ＲＰ追加条件）、又は、パスロスが所定値を上回る場合（受信ポイントを削除する条件：ＲＰ削除条件）等がある。
【０１７８】
また、制御部１０１は、受信部１０３または基地局間ＩＦ１０４から入力される端末３００からの信号（受信信号）に含まれる、ＣＳＩ−ＲＳに関する情報（上記ＵＬ向けの報告条件を満たしたＣＳＩ−ＲＳリソースの識別子および受信電力測定結果）を用いて、端末３００の上り送信電力制御におけるパスロス算出の基準とする受信ポイント（パスロスリファレンスとなる受信ポイント）を決定する。つまり、制御部１０１は、端末３００から報告されるＲＳＲＰの情報（ＵＬ向けの報告条件を満たしたＣＳＩ−ＲＳの情報）に基づいて受信ポイント（ＲＰ）を選択する。すなわち、制御部１０１は、複数のＣＳＩ−ＲＳのうち、端末３００においてパスロス算出に用いられる少なくとも１つの特定のＣＳＩ−ＲＳを決定する。そして、基地局１００は、CSI-RS候補リストで通知済みの識別子（CSI-RS index）を用いて、上り送信電力制御のパスロスリファレンスとする受信ポイント（ＲＰ）に関する情報を端末３００へ通知する。
【０１７９】
ここで、例えば、CSI-RS候補リストは比較的長い間隔でシグナリングされるRRCシグナリングで通知され、受信ポイントの情報は比較的短い間隔のシグナリング可能なMACシグナリングで通知される。
【０１８０】
また、制御部１０１は、決定した受信ポイントに従って、端末３００が上りリンクで送信するデータまたは参照信号のリソース等の設定情報（configuration）を各端末３００について決定し、送信部１０２を介して各端末３００に通知する。ここで、制御部１０１は、各受信ポイントで受信される複数の端末３００からの信号間で干渉が少なくなるように制御する。例えば、制御部１０１は、ホッピングパタンが複数の端末３００間で同一になるようなランダムシードを設定する。また、上りリンクの設定情報（configuration）としては、例えば、周波数／系列などの情報、仮想的なCell id（virtual Cell id）などの情報も挙げられる。また、上りリンクの設定情報には、上り送信電力の調整のために受信ポイントごとに設定された上りリンク送信電力のオフセット値（式（１）におけるP0又は追加で設定されるオフセット値）を含めてもよい。
【０１８１】
受信部１０３は、端末３００から送信される上りリンクのデータ（ＰＵＳＣＨ）、制御信号（ＰＵＣＣＨ）、又は、参照信号（ＤＭＲＳ、ＳＲＳ）を受信する。
【０１８２】
[ピコ基地局２００の構成]
ピコ基地局２００では、実施の形態１の動作（下りリンクに関する動作）に加え、以下の動作（上りリンクに関する動作）が追加される。
【０１８３】
基地局間ＩＦ２０１は、受信部２０３から入力される端末３００からの受信データ（ＰＵＳＣＨ）をマクロ基地局１００へ転送する。
【０１８４】
受信部２０３は、アンテナを介して端末３００からのデータ（ＰＵＳＣＨ）、参照信号（ＤＭＲＳ、ＳＲＳ）などの上りリンクの信号を受信する。
【０１８５】
［端末３００の構成］
端末３００では、実施の形態１の動作（下りリンクに関する動作）に加え、以下の動作（上りリンクに関する動作）が追加される。
【０１８６】
受信部３０１は、上りリンク向けの報告条件、又は、上り送信電力制御の情報（パスロスリファレンスとする受信ポイント（ＣＳＩ−ＲＳ）の情報）が含まれる信号を、マクロ基地局１００またはピコ基地局２００から受信し、受信信号を制御部３０２に出力する。
【０１８７】
制御部３０２は、受信部３０１から入力される上り送信電力制御の情報（パスロスリファレンスとするＣＳＩ−ＲＳの情報を含む）に基づいて、パスロス測定に用いるＣＳＩ−ＲＳを特定する。制御部３０２は、特定したＣＳＩ−ＲＳを示す情報を測定部３０３へ指示する。
【０１８８】
測定部３０３は、実施の形態１と同様、CSI-RS候補リストに示される複数のＣＳＩ−ＲＳを用いて、複数のＣＳＩ−ＲＳのそれぞれに対する受信電力（例えば、ＲＳＲＰ）を測定する。また、測定部３０３は、測定した受信電力が上りリンク向けの報告条件または下りリンク向けの報告条件を満たすか否かを判断する。なお、上りリンク向けの報告条件としてパスロスが含まれる場合（パスロスと閾値とを比較する場合）、測定部３０３は、測定した受信電力（ＲＳＲＰ）とＣＳＩ−ＲＳ送信電力の情報（基地局１００から通知される情報）とを用いて、パスロス（例えば、式（１）に示すＰＬ）を算出する。
【０１８９】
測定部３０３は、測定した受信電力（またはパスロス）が報告条件を満たす場合、当該受信電力に対応するＣＳＩ−ＲＳ（ＣＳＩ−ＲＳのリソースの識別子）および受信電力を示す情報を含むＣＳＩ−ＲＳに関する情報を送信部３０４に出力する。ここで、測定部３０３は、上りリンク向けの報告条件および下りリンク向けの報告条件のうち、いずれの報告条件を満たしたかを示す情報もＣＳＩ−ＲＳに関する情報に含める。
【０１９０】
また、測定部３０３は、制御部３０２から指示された上り送信電力制御の情報（パスロスリファレンスとするＣＳＩ−ＲＳの情報）に示される特定のＣＳＩ−ＲＳを用いて、上り送信電力制御のためのパスロスを算出する。
【０１９１】
［マクロ基地局１００及び端末３００の動作］
以上の構成を有するマクロ基地局１００及び端末３００の動作について説明する。
【０１９２】
図１７は、マクロ基地局１００（ｅＮＢと表す）および端末３００（ＵＥと表す）の処理の流れを示すフロー図である。なお、図１７において、実施の形態１（図８）と同一の処理には同一の符号を付し、その説明は重複するので省略する。
【０１９３】
ＳＴ１０１ａでは、マクロ基地局１００は、受信電力（例えば、ＲＳＲＰ）の測定方法、および、受信電力測定結果の「報告条件（Event）」を端末３００へ通知する（図示せず）。ここで、マクロ基地局１００は、報告条件として、下りリンクの送信ポイント選択向けの報告条件（ＤＬ向け報告条件）、および、上りリンクの受信ポイント選択向けの報告条件（ＵＬ向け報告条件）の２種類の報告条件を端末３００へ通知する。例えば、ＵＬ向け報告条件として、パスロスが所定の閾値pl_add (UL)を下回った場合（受信ポイント追加のための条件）、または、パスロスが所定の閾値pl_remove (UL)を上回った場合（受信ポイント削除のための条件）を用いてもよい。
【０１９４】
また、マクロ基地局１００は、CSI-RS候補リストの中に、上りリンク向けのパスロス算出のためのＣＳＩ−ＲＳ送信電力情報を含める。ＣＳＩ−ＲＳ送信電力情報は、例えば、各受信ポイントにおけるＣＳＩ−ＲＳの送信電力を示す。
【０１９５】
端末３００の測定部３０３は、ＳＴ１０１ａで通知されたCSI-RS候補リスト、および、マクロ基地局１００から通知された受信電力の測定方法に基づいて、ＣＳＩ−ＲＳを用いたＲＳＲＰ測定を行う。すなわち、図１７では、測定部３０３は、CSI-RS候補リストに示されるCSI-RS 1〜6のCSI-RS configurationに基づいて、６種類のＣＳＩ−ＲＳ（つまり、６個の送信ポイント（受信ポイント））に対するＲＳＲＰを測定する。また、測定部３０３は、測定したＲＳＲＰが報告条件を満たすか否かを判断する。図１７では、CSI-RS候補リスト（CSI-RS 1〜6）のうち、CSI-RS 1およびCSI-RS 2のＲＳＲＰがＤＬ向け報告条件の閾値Th_add (DL)を上回っており、CSI-RS 3のＲＳＲＰがＵＬ向け報告条件の閾値pl_add (UL)を下回っている。
【０１９６】
ＳＴ１０２ａでは、端末３００は、CSI-RS候補リストに示される複数のＣＳＩ−ＲＳ候補のうち、報告条件を満たすＣＳＩ−ＲＳ候補番号、報告条件を満たすＣＳＩ−ＲＳの測定結果に加えて、ＤＬ向けまたはＵＬ向けのいずれの報告条件を満たしたかを示す情報をマクロ基地局１００へ報告する。図１７では、端末３００は、ＤＬ向け報告条件を満たしたことを示す情報（図１７では「ＤＬ」）、ＤＬ向け報告条件を満たすCSI-RS候補番号（図１７ではCSI-RS 1およびCSI-RS 2）および、ＤＬ向け報告条件を満たすＣＳＩ−ＲＳの測定結果（図１７ではvalue 1およびvalue 2）をマクロ基地局１００へ報告する。同様に、図１７では、端末３００は、ＵＬ向け報告条件を満たしたことを示す情報（図１７では「ＵＬ」）、ＵＬ向け報告条件を満たすCSI-RS候補番号（図１７ではCSI-RS 3）および、ＵＬ向け報告条件を満たすＣＳＩ−ＲＳの測定結果（図１７ではvalue 3）をマクロ基地局１００へ報告する。
【０１９７】
マクロ基地局１００は、ＳＴ１０２ａにおいて端末３００から受け取った情報に基づいて、送信ポイントの選択（ＤＬ向けの処理）および受信ポイントの選択（ＵＬ向けの処理）を行う。なお、ＤＬ向けの処理（図１７に示すＳＴ１０３〜ＳＴ１０７）については実施の形態１と同一の処理であるので説明を省略する。
【０１９８】
マクロ基地局１００は、ＳＴ１０２ａにおいて端末３００から報告された上りリンクに関する情報に基づいて、当該端末３００の上りリンクにおける受信ポイントを選択または変更する。図１７では、マクロ基地局１００の制御部１０１は、端末３００においてCSI-RS 3を用いている受信ポイントに対するパスロスが他の受信ポイントよりも小さいと判断する。そこで、制御部１０１は、当該端末３００に対する受信ポイントを、CSI-RS 3を用いている受信ポイントに決定する。
【０１９９】
ＳＴ４０１では、マクロ基地局１００は、決定した受信ポイントに関する送信電力制御の設定情報（power control config）及び上りリンクのリソース設定情報（UL resource config）を端末３００に通知する。ここで、マクロ基地局１００は、送信電力制御の設定情報として、例えば、端末３００において上り送信電力制御の際に用いるパスロス算出のためのＣＳＩ−ＲＳの情報として、ＣＳＩ−ＲＳの識別子（ＣＳＩ−ＲＳ候補リストで通知済みの情報）を通知する。また、マクロ基地局１００は、上りリンクのリソース設定情報として、例えば、ＰＵＳＣＨ、ＲＳ（ＤＭＲＳ、ＳＲＳ）、ＰＵＣＣＨ向けのリソース設定情報（周波数/系列などの情報、ランダムシードとして用いるＩＤ情報等）、または、上り送信電力の調整のために受信ポイントごとに設定された上りリンク送信電力のオフセット値（式（１）におけるP0又は追加で設定されるオフセット値）を通知する。
【０２００】
ＳＴ４０２では、端末３００は、ＳＴ４０１においてマクロ基地局１００から通知された設定情報に従って、上り送信電力制御の設定を変更し、変更後の設定に従って、ＰＵＳＣＨ（データ）、ＲＳ（ＤＭＲＳ、ＳＲＳ）、ＰＵＣＣＨ（制御情報）等の上りリンク信号を送信する。
【０２０１】
このように、マクロ基地局１００では、受信部１０３が、端末３００で複数の基地局（送信ポイントまたは受信ポイント）からのＣＳＩ−ＲＳを用いて測定された各基地局のパスロス（第３の受信品質）に基づいて、複数の基地局のうち、上りリンクに関する報告条件（所定の条件）を満たすパスロス（第３の受信品質）に対応する、少なくとも一つのＣＳＩ−ＲＳに関する情報（第３の情報）を受信し、制御部１０１が、上りリンクに関する報告条件を満たすパスロスに対応するＣＳＩ−ＲＳに関する情報に基づいて、特定のＣＳＩ−ＲＳ（つまり、端末３００の受信ポイントとする基地局のＣＳＩ−ＲＳ）を決定し、送信部１０２が、決定された少なくとも一つの特定のＣＳＩ−ＲＳに関する情報（UL config。第４の情報）を送信する。端末３００では、測定部３０３が、マクロ基地局１００から通知されたCSI-RS候補リストに示される複数の基地局（送信ポイントまたは受信ポイント）からのＣＳＩ−ＲＳを用いて、基地局（ＣＳＩ−ＲＳ）のそれぞれに対するパスロス（第３の受信品質）を測定し、送信部３０４が、複数のＣＳＩ−ＲＳのうち、上りリンクに関する報告条件（所定の条件）を満たすパスロス（第３の受信品質）に対応する、少なくとも一つのＣＳＩ−ＲＳに関する情報（第３の情報）を、送信し、受信部３０１が、複数のＣＳＩ−ＲＳのうち、上りリンクに関する報告条件を満たすパスロスに対応するＣＳＩ−ＲＳに関する情報を用いて決定された、少なくとも一つの特定のＣＳＩ−ＲＳに関する情報（UL config。第４の情報）を受信する。
【０２０２】
このようにして、本実施の形態では、下りリンクにおける送信ポイントの選択に加え、上りリンクにおける受信ポイントの選択にも、CSI-RS候補リストを用いる。すなわち、本実施の形態では、マクロ基地局１００および端末３００は、下りリンクにおける送信ポイントの選択、及び、上りリンクにおける受信ポイントの選択において、同一のCSI-RS候補リストを共通して使用する。こうすることで、受信ポイントの情報の通知に要する情報量を削減できる。
【０２０３】
また、本実施の形態では、上りリンクの報告条件を満たすＣＳＩ−ＲＳに関する情報には、実施の形態１で説明した下りリンクの報告条件を満たすＣＳＩ−ＲＳに関する情報と同様、上りリンクの報告条件を満たすパスロスに対応するＣＳＩ−ＲＳを示す識別子、または、上りリンクの報告条件を満たすパスロスの測定結果が含まれる。つまり、受信品質の測定結果（例えば、報告条件を満たした受信電力またはパスロス）が上りリンクと下りリンクとで共通のフォーマットを用いて端末３００からマクロ基地局１００へ報告される。これにより、端末３００とマクロ基地局１００との間のシグナリングのフォーマット数の増加を防ぐことができ、簡易なシステムが構築可能となる。
【０２０４】
また、本実施の形態では、マクロ基地局１００は、端末３００に対して予め通知しているCSI-RS候補リストに含まれるCSI-RSの識別子（CSI-RS index）を、決定した受信ポイントを示す情報（例えば、UL config）として、端末３００へ通知する。また、端末３００は、マクロ基地局１００から通知されたCSI-RSの識別子（CSI-RS index）に基づいて、受信ポイントを特定するとともに、CSI-RS候補リストの中から受信ポイントに対応するCSI-RSの設定情報を特定する。これにより、受信ポイントの更新の度に、CSI-RSの設定情報を通知する場合と比較して、受信ポイントの情報の通知にかかるオーバーヘッドを低減できる。
【０２０５】
また、本実施の形態では、端末３００は、CSI-RS候補リストに示されるＣＳＩ−ＲＳを用いてＲＳＲＰを予め測定している。このため、端末３００では、受信ポイントの変更が通知された直後でも、十分長い平均化が為されたＲＳＲＰを得ることができる。よって、本実施の形態によれば、端末３００では、受信ポイントの変更が通知された後に直ちに高精度なパスロスを用いて送信電力制御を行うことができる。
【０２０６】
なお、本実施の形態では、「ＵＬ向け報告条件」として、パスロスを用いる場合について説明したが、「ＵＬ向け報告条件」はパスロスを用いる場合に限らない。例えば、「ＵＬ向け報告条件」として、「ＲＳＲＰ＋Δ」が所定の閾値以上（または以下）の場合を条件として用いてもよい。ここで、Δは、マクロ基地局１００とピコ基地局２００との間の送信電力差に基づくオフセット値である。例えば、マクロ基地局１００の送信電力が43dBmであり、或るピコ基地局２００の送信電力が30dBmであるとする。この場合、Δ＝13dB（＝43-30）と設定してもよい。これは、マクロ基地局１００からの信号の受信電力よりもピコ基地局２００からの信号の受信電力が13dB低くなるような端末３００が上りリンクで送信した信号は、マクロ基地局１００と当該ピコ基地局２００とで同一電力で受信されるためである（ただし、双方の基地局の伝搬減衰特性が同一と仮定する）。このため、「ＵＬ向け報告条件」において、ピコ基地局２００の受信電力（ＲＳＲＰ）にオフセットΔを付加する。これにより、端末３００は、各基地局（マクロ基地局１００およびピコ基地局２００）について、受信電力（ＲＳＲＰ）を用いて「ＵＬ向け報告条件」を満たしているか否かを判断することができる。なお、この際、マクロ基地局１００は、受信ポイント毎のオフセット値（Δ）を含むCSI-RS候補リストを端末３００へ通知する。また、「ＵＬ向け報告条件」において、端末３００の上り送信電力制御の際にマクロ基地局１００からのパスロスを用いて算出した送信電力値にオフセット値（Δ）を差し引いた値を、ピコ基地局２００の送信電力値として設定してもよい。このように、本実施の形態において、「ＵＬ向け報告条件」に用いる受信品質（上記第３の受信品質）は、各送信ポイントからのＣＳＩ−ＲＳを用いて測定される受信電力（上記第１の受信品質。ＲＳＲＰ）を用いて算出される受信品質（パスロス、及び、ＲＳＲＰ＋Δ等）であればよい。
【０２０７】
また、本実施の形態では、下りリンクの信号（ＣＳＩ−ＲＳ）を用いて受信ポイントの選択を行う場合について説明した。しかし、本実施の形態において、マクロ基地局１００は、上りリンクの信号（例えば、ＳＲＳ（サウンディング向け参照信号））を用いて受信ポイントの選択を行ってもよい。この場合、マクロ基地局１００は、CSI-RS候補リスト内のCSI-RS識別子を用いて、選択した受信ポイントを通知することで、本実施の形態と同様、受信ポイントの情報の通知にかかるオーバーヘッドの増加を抑えることができる。
【０２０８】
また、本実施の形態では、下りリンクにおける送信ポイント選択向け報告条件、および、上りリンクにおける受信ポイント選択向け報告条件の２種類の報告条件を用いる場合について説明した。しかし、本実施の形態において、用途の異なる複数の報告条件を設定するようにしてもよい。
【０２０９】
また、本実施の形態において、送信ポイント（受信ポイント）あたり複数のアンテナがある場合には、アンテナ間の平均のＲＳＲＰを用いてパスロス（またはＲＳＲＰ＋Δ）を算出してもよく、各アンテナのＲＳＲＰの合計を用いてパスロス（またはＲＳＲＰ＋Δ）を算出してもよい。
【０２１０】
また、下りリンクでは端末３００の近隣に位置する送信ポイントから信号を送信すべく、送信ポイントの切替を行う。これに対して、上りリンクではマクロ基地局１００のみの受信（または全基地局での受信）を行い、受信ポイントの切替を行わないような運用も考えられる。または、上りリンクのみで受信ポイントの切替を行う運用も考えられる。そこで、マクロ基地局１００は、各送信ポイント／受信ポイント（ＣＳＩ−ＲＳ）について、下りリンク向けのＲＳＲＰ報告対象、上りリンク向けのＲＳＲＰ報告対象、または、上下リンク双方向けのＲＳＲＰ報告対象のいずれであるかを示す情報を、端末３００へ通知してもよい。このＲＳＲＰ報告対象を示す情報は、明示的に通知されてもよい。例えば、CSI-RS候補リストで通知される各ＣＳＩ−ＲＳの送信電力情報が最大値であるＣＳＩ−ＲＳについては、上りリンク向けのＲＳＲＰ報告の対象外としてもよい。ＣＳＩ−ＲＳの送信電力情報が最大値である場合には算出されるパスロスは大きな値となるため、受信ポイントとして選択されることはないので、当該ＣＳＩ−ＲＳを報告の対象外としても問題ない。また、ＲＳＲＰに加えるオフセット（CSI-RS individual offset）が最小値となるＣＳＩ−ＲＳについては、下りリンク向けのＲＳＲＰ報告の対象外としてもよい。オフセットが最小値である場合には報告条件の閾値以上となり（報告条件を満たさず）、その受信ポイントが選択されることはほとんどないため、当該ＣＳＩ−ＲＳを報告の対象外としても問題ない。また、上記送信電力情報の「最大値」またはオフセットの「最小値」となる場合の動作は、明示的に設定してもよく、暗示的に動作させてもよい。これにより、下りリンクのみでＣｏＭＰ、上りリンクのみでＣｏＭＰ、または、上下リンク双方でＣｏＭＰのそれぞれの運用形態に対応することが可能となる。また、上述したように、ＣＳＩ−ＲＳ（つまり送信ポイント／受信ポイント）毎にＲＳＲＰ報告対象を設定するのではなくて、端末（ＵＥ）毎に下りリンク向けのＲＳＲＰ報告対象、上りリンク向けのＲＳＲＰ報告対象、上下リンク双方向けのＲＳＲＰ報告対象を、それぞれ通知してもよい。
【０２１１】
以上、本発明の各実施の形態について説明した。
【０２１２】
［他の実施の形態］
（１）上記各実施の形態において、１つの送信ポイントが複数のアンテナポートを有する場合、端末は、CSI-RS候補リストに基づいて、各送信ポイントの異なるアンテナポートから送信されるＣＳＩ−ＲＳを用いた測定結果の平均値（単純平均、加重平均、中央値等）を、マクロ基地局へ報告してもよい。各アンテナポートの測定結果の平均値を示す１つの測定結果のみが報告されるので、報告に要する情報量が低減される。また、送信ポイントが有する複数のアンテナポートでの測定結果を平均することにより、受信品質の測定精度を向上させることが可能となる。
【０２１３】
また、１つの送信ポイントが複数のアンテナポートを有する場合でも、端末は、１つのアンテナポートから送信されるＣＳＩ−ＲＳを用いた測定結果、または限られた数のアンテナポートから送信されるＣＳＩ−ＲＳを用いた測定結果の平均値を、マクロ基地局へ報告してもよい。この場合、測定するリソースを必要最小限に限定できるので端末での処理量の低減が可能である。
【０２１４】
（２）上記各実施の形態において、端末がＣＳＩ−ＲＳを用いて測定する受信品質としては、受信電力に限らず、例えば、ＲＳＲＰ、ＲＳＲＱ、ＳＩＮＲ、ＳＬＮＲ等を用いてもよい。
【０２１５】
（３）上記各実施の形態では、ＣＳＩ−ＲＳを用いた受信電力測定結果の報告条件として、測定結果が閾値Ａ（またはTh_add）を上回った場合、測定結果が閾値Ｂ（またはTh_remove）を下回った場合、または、測定結果が、ＣＳＩ−ＲＳ測定対象として現在指定されているＣＳＩ−ＲＳの測定結果をＣ［ｄＢ］上回った場合、等について説明した。しかし、ＣＳＩ−ＲＳを用いた受信電力測定結果の報告条件は、これらに限らず、例えば、モビリティ制御のためのmeasurement（例えば、「3GPP TS36.331 v10.1.0」参照）の報告条件（Event）を用いてもよい。既存の条件（上記Event等）をＣＳＩ−ＲＳを用いた受信電力測定結果の報告条件として再利用することで、端末の簡素化およびテスト工数の低減が可能となる。また、ＣＳＩ−ＲＳを用いた受信電力測定結果の報告条件は、伝搬路状態等の電波環境以外の要因を考慮して設定されてもよい。例えば、報告条件として、高い料金を支払うユーザの端末に対してより多くの送信ポイントを用いるような条件を設定してもよい。
【０２１６】
（４）上記各実施の形態では、マクロセル内の送信ポイント毎に異なるリソースでＣＳＩ−ＲＳが送信される場合について説明した。しかし、必ずしもマクロセル内の送信ポイント毎に異なるリソースでＣＳＩ−ＲＳを送信する必要はない。例えば、或る端末に信号が届く範囲（エリア）において、各送信ポイントが異なるリソースでＣＳＩ−ＲＳを送信すればよい。すなわち、十分離れた場所、または、壁等で隔離された場所では、異なる送信ポイントが同一リソースでＣＳＩ−ＲＳを送信してもよい。
【０２１７】
（５）上記各実施の形態において、CSI-RS候補リスト内に、異なるセルＩＤのセル内の送信ポイントが使用しているＣＳＩ−ＲＳのconfigurationを含めてもよい。この場合、CSI-RS候補リスト内の各CSI-RS configurationの中にセルＩＤの情報を含めればよい。これにより、端末は、受信電力の大きい送信ポイントを、異なるＩＤのセル間で選択することができる。
【０２１８】
（６）上記各実施の形態において、複数の送信ポイントに対して１つのCSI-RS configurationを設定してもよい。例えば、送信ポイント１が有する２アンテナポートと、送信ポイント２が有する２アンテナポートとを合わせた４アンテナポートのＣＳＩ−ＲＳとして、１つのCSI-RS configurationを設定してもよい。この場合、４つのアンテナポートのＣＳＩ−ＲＳに対して１つのＣＳＩ測定結果が報告されるので、報告情報の情報量が低減される。
【０２１９】
（７）上記各実施の形態では、ＣＳＩ−ＲＳを用いる場合について説明したが、ＣＳＩ−ＲＳの代わりに、各送信ポイントから異なるリソースで送信可能な信号またはチャネルを用いてもよい。例えば、ＣＳＩ−ＲＳの代わりに、同期用信号であるＰＳＳ／ＳＳＳ（Primary Synchronization Signal/Secondary Synchronization Signal）を用いてもよい。この場合、CSI-RS候補リストの代わりに、ＰＳＳ／ＳＳＳのconfiguration情報（スクランブリング系列等）がマクロ基地局から端末へ通知される。
【０２２０】
（８）上記各実施の形態では、ＣＲＳが全ての送信ポイントから送信される場合について説明したが、ＣＲＳは、例えば、マクロ基地局（ＨＰＮ）のみから送信されてもよい。
【０２２１】
（９）上記各実施の形態では、マクロ基地局とピコ基地局とから構成されるネットワークを一例として説明した。しかし、マクロ基地局のみから構成されるネットワークであっても、複数のマクロ基地局が同一のセルＩＤを用いる場合には、本発明を適用することができる。また、ピコ基地局はＲＲＨ（Remote Radio Head）等のように無線増幅部およびアンテナのみで構成されるものであってもよいし、通常の基地局のようにベースバンド処理部が設けられていてもよい。
【０２２２】
（１０）上記各実施の形態では、ＣＳＩ−ＲＳを用いた受信電力測定結果が報告条件を満たした場合、端末が報告条件を満たした測定結果のみをマクロ基地局へ報告する場合について説明した。しかし、ＣＳＩ−ＲＳを用いた受信電力測定結果が報告条件を満たした場合、端末は、全てのＣＳＩ−ＲＳの測定結果をマクロ基地局へ報告してもよい。この場合、マクロ基地局は、報告された全てのＣＳＩ−ＲＳの中から、ＣＳＩ測定対象のＣＳＩ−ＲＳ（送信ポイント）を決定すればよい。
【０２２３】
（１１）上記各実施の形態で用いたzeroTxPowerCSI-RSおよびresourceConfig等は、例えば、3GPP TS36.331 v10.1.0に記載のパラメータを用いてもよい。
【０２２４】
（１２）上記各実施の形態において、Rel.8〜10のＣＲＳを用いたmeasurement向けのmeasurement objectの中に、各セルまたはキャリアのCSI-RS候補リストを示す情報を含めて、端末に通知してもよい。これにより、既存のシグナリングを再利用することにより簡易なシステムが構築可能となる。
【０２２５】
（１３）上記各実施形態では、（３）に記載したように、ＣＳＩ−ＲＳを用いた受信電力測定結果の報告条件として、測定結果が閾値Ａ（またはTh_add）を上回った場合、測定結果が閾値Ｂ（またはTh_remove）を下回った場合、または、測定結果が、ＣＳＩ−ＲＳ測定対象として現在指定されているＣＳＩ−ＲＳの測定結果をＣ［ｄＢ］上回った場合、等について説明した。ここで、第２の報告条件「測定結果が閾値Ｂ（またはTh_remove）を下回った場合」は、さらに２つの報告条件に分割することができる。
【０２２６】
１つ目の報告条件は、ＣＣＬで設定されたＣＳＩ−ＲＳを用いた測定結果が、閾値Ｂを下回った場合に、第１の受信品質を報告する方法である。
【０２２７】
２つ目の報告条件は、第１の報告条件「測定結果が閾値Ａ（またはTh_add）を上回った場合」など、すでに基地局に報告された第１の受信品質に含まれるＣＳＩ−ＲＳの測定結果が、閾値Ｂを下回った場合に、第１の受信品質を報告する方法である。このようにすることで、基地局が第２の情報に含めるＣＭＬとして設定している、あるいは、設定しようとしているＣＳＩ−ＲＳ候補のうちいずれかの測定結果が閾値Ｂを下回ったときにだけ、第１の受信品質が報告されるので、報告回数を減らすことができる。なお、端末が特定の閾値を下回ったことを報告したＣＳＩ−ＲＳは、２つ目の報告条件の対象とするＣＳＩ−ＲＳのリストから外してもよい。このようにすることで、基地局が特定の閾値を下回っていることを把握しているＣＳＩ−ＲＳの受信品質を再び送信することを避けることができ、報告回数を減らすことができる。なお、特定の閾値とは、閾値Ａの値でもよいし、閾値Ｂの値でもよいし、別途設定しても良い。
【０２２８】
また、上記の報告条件を満たした場合の第１の受信品質の報告方法として以下の５つが考えられる。
【０２２９】
第１の報告方法では、端末は、上記報告条件を満たした場合にＣＳＩ−ＲＳ候補リストの全てのＣＳＩ−ＲＳの測定結果を報告する。このようにすることで、基地局では、候補リスト内の全てのＣＳＩ−ＲＳに対してより最近のＣＳＩ−ＲＳ測定結果が得られるため、より適切なＣＭＬの設定が可能である。
【０２３０】
第２の報告方法では、端末は、上記報告条件を満たした場合に、特定の閾値を上回るＣＳＩ−ＲＳの測定結果のみを第１の受信品質として基地局に報告する。このようにすることで、報告されるＣＳＩ−ＲＳ測定結果が限定されるので、報告メッセージサイズを小さくすることができる。なお、特定の閾値とは、閾値Ａの値でもよいし、閾値Ｂの値でもよいし、別途設定しても良い。
【０２３１】
第３の報告方法では、端末は、上記報告条件を満たした場合に、上記第１の報告条件「測定結果が閾値Ａ（またはTh_add）を上回った場合」で報告された第１の受信品質に含まれるＣＳＩ−ＲＳの測定結果のうち、特定の閾値を上回るＣＳＩ−ＲＳの測定結果のみを第１の受信品質として基地局に報告する。なお、特定の閾値とは、閾値Ａの値でもよいし、閾値Ｂの値でもよいし、別途設定しても良い。このようにすることで、基地局は、どのＣＳＩ−ＲＳをＣＭＬの候補として適切かを判断することが出来ると共に、ＣＳＩ−ＲＳの測定結果の報告メッセージサイズを小さくすることができる。
【０２３２】
第４の報告方法では、端末は、上記報告条件を満たした場合に、上記第１の報告条件「測定結果が閾値Ａ（またはTh_add）を上回った場合」で報告された第１の受信品質に含まれるＣＳＩ−ＲＳの測定結果の全てのCSI-RSの測定結果を報告する。このようにすることで、基地局が既に保持している各CSI-RSの測定結果を更新することができる。
【０２３３】
第５の報告方法は、上記報告条件を満たした場合に、報告条件を満たしたCSI-RSの測定結果のみを報告する方法である。このようにすることで、報告のメッセージサイズを最小限に抑えることができる。
【０２３４】
（１４）上記各実施の形態では、CRSはセル単位で設定され、セル内のユーザは共通のCRSを用いる。一方、CSI-RSをセル固有または送信ポイント（TP）固有の設定、つまり、セル内の全ユーザが共通のCSI-RS設定を用いるようにしてもよいし、ユーザ固有の設定にしてもよい。ユーザ固有の設定の場合には、CSI-RSはユーザ固有に設定可能であり、ユーザごとに受信するCSI-RSが異なってもよい。例えば、複数のTPから協調送信するようなCoMP送信方法を用いるユーザには複数のTPから同一のリソースでCSI-RSを送信してもよい。この場合、CoMP送信方法を用いるユーザは、複数のTPから同一のリソースで送信されたCSI-RSを用いるのに対して、他のユーザは、１つのTPから送信されたCSI-RSを用いる。また別の例として、混雑しているTPのCSI-RSを限定されたユーザにしか設定しないことにより、TPに接続しているユーザのスループット低下を防ぐことができる。このように、CSI-RSをユーザ固有に設定することにより、様々な伝送方式を用いるユーザが混在する柔軟なシステムを構築可能できる。
【０２３５】
（１５）上記実施の形態では、受信電力測定結果をマクロ基地局へ報告するようにしたが、ＬＰＮ又はピコ基地局など他のノードを介して報告するようにしてもよい。この場合、端末は単にＬＰＮ又はピコ基地局などの他のノードへ報告データを送信する。
【０２３６】
（１６）上記実施の形態において、マクロ基地局とピコ基地局はそれぞれ異なる１つのキャリア周波数を用いてもよいし、異なる組み合わせのキャリア周波数を用いてもよい。例えば、マクロ基地局はf1のキャリア周波数、ピコ基地局はf2のキャリア周波数を用いるようにしてもよいし、マクロ基地局はf1とf2の２つのキャリア周波数用い、ピコ基地局はf2の１つのキャリア周波数を用いるようにしてもよい。この場合、f1（つまりマクロ基地局間）では実施の形態３で説明したようなＣＲＳを用いた受信電力測定結果の報告とそれに基づいたハンドオーバー（あるいは移動管理）を行い、f2（つまりピコ基地局間）ではＣＳＩ−ＲＳを用いた受信電力測定結果の報告とそれに基づいたハンドオーバー（あるいは移動管理）を行うようにしてもよい。この場合、それぞれの周波数で適切な受信電力測定結果が得られるため端末をより高い受信品質のセルに接続させることができる。また、実施の形態４のようにこれらのf1とf2をcarrier aggregationとして端末が両方を用いて通信してもよい。この場合、端末はf1、f2それぞれにおける受信品質のよい基地局(あるいはセル)に接続しながら通信できるため高いスループットを実現できる。
【０２３７】
（１７）上記実施の形態において、Extension carrierはnew carrier type又はadditional carrier typeと呼ばれることもある。また、Extension carrierはＰＢＣＨ又はＰＤＣＣＨが送信されないキャリアとして定義される場合もある。
【０２３８】
（１８）上記各実施の形態ではアンテナとして説明したが、本発明はアンテナポート（antenna port）でも同様に適用できる。
【０２３９】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０２４０】
例えば3GPP LTEにおいては、アンテナポートが何本の物理アンテナから構成されるかは規定されず、基地局が異なる参照信号（Reference signal）を送信できる最小単位として規定されている。
【０２４１】
また、アンテナポートはプリコーディングベクトル（Precoding vector）の重み付けを乗算する最小単位として規定されることもある。
【０２４２】
（１９）上記各実施の形態では、本発明をハードウェアで構成する場合を例にとって説明したが、本発明はハードウェアとの連携においてソフトウェアでも実現することも可能である。
【０２４３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２４４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０２４５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２４６】
２０１１年８月５日出願の特願２０１１−１７１７１０および２０１１年９月３０日出願の特願２０１１−２１７２９８の日本出願に含まれる明細書、図面および要約書の開示内容は、すべて本願に援用される。
【産業上の利用可能性】
【０２４７】
本発明は、ＣＳＩ報告のオーバーヘッドを低減しつつ、適切な送信ポイントを選択することができるものとして有用である。
【符号の説明】
【０２４８】
１００  マクロ基地局
１０１，３０２  制御部
１０２，２０２，３０４  送信部
１０３，２０３，３０１  受信部
１０４，２０１  基地局間ＩＦ
２００  ピコ基地局
３００  端末
３０３  測定部
【図１】
0006026415.tif 000003
【図２】
0006026415.tif 000004
【図３】
0006026415.tif 000005
【図４】
0006026415.tif 000006
【図５】
0006026415.tif 000007
【図６】
0006026415.tif 000008
【図７】
0006026415.tif 000009
【図８】
0006026415.tif 000010
【図９】
0006026415.tif 000011
【図１０】
0006026415.tif 000012
【図１１】
0006026415.tif 000013
【図１２】
0006026415.tif 000014
【図１３】
0006026415.tif 000015
【図１４】
0006026415.tif 000016
【図１５】
0006026415.tif 000017
【図１６】
0006026415.tif 000018
【図１７】
0006026415.tif 000019